(57)【要約】  無線デバイス（８１１）またはネットワークノード（８０１）は、ネットワークノード（８０１）によって送信される参照信号リソースのセット（８２３）内の参照信号リソースの少なくとも一部分に共通する評価期間（８２１）を決定し、セット（８２３）内の参照信号リソースの少なくとも１つは、セット（８２３）内の参照信号リソースの他のものとは異なるタイプまたは構成である。【選択図】図８
2021503738.tif 000002
【特許請求の範囲】
【請求項１】
無線リンク監視評価期間を構成するための無線デバイス（８１１）によって実行される方法（２５００）であって、
ネットワークノード（８０１）によって送信される参照信号リソースのセット（８２３）内の複数の参照信号リソースの少なくとも一部分に共通する評価期間（８２１）を決定すること（２５１０）であって、前記セット（８２３）内の複数の参照信号リソースの少なくとも１つは該セット（８２３）内の複数の参照信号リソースの他の１つとは異なるタイプまたは構成である、前記決定すること（２５１０）と、
前記決定された評価期間（８２１）の間に受信された前記セット（８２３）内の複数の参照信号リソースの前記一部分のチャネル品質を監視すること（２５２０）と、
を含む方法。
【請求項２】
前記チャネル品質を監視するための複数の参照信号リソースとして前記ネットワークノード（８０１）によって構成された複数のリソースのうちのどのリソースが、前記ネットワークノード（８０１）によって送信される複数の参照信号リソースの前記セット（８２３）に含まれているかを決定することをさらに含む
請求項１に記載の方法。
【請求項３】
前記チャネル品質を監視するための複数の参照信号リソースとして前記ネットワークノード（８０１）によって構成された複数のリソースのうちのどのリソースが、前記ネットワークノード（８０１）によって送信される複数の参照信号リソースの前記セット（８２３）に含まれているかを前記決定することは、前記チャネル品質を監視するための複数の参照信号リソースとして構成された複数のリソースのうちのどのリソースが送信されたかを示す前記ネットワークノード（８０１）からのインジケーションに基づく
請求項２に記載の方法。
【請求項４】
前記評価期間（８２１）に対応する前記セット（８２３）内の複数の参照信号リソースの前記一部分を決定することをさらに含む
請求項１乃至３の何れか１項に記載の方法。
【請求項５】
前記セット（８２３）内の複数の参照信号リソースの前記一部分は少なくとも２つの参照信号リソースを含む
請求項１乃至４の何れか１項に記載の方法。
【請求項６】
前記決定された共通の評価期間（８２１）の間に受信された前記セット（８２３）内の複数の参照信号リソースの前記少なくとも一部分の複数の参照信号リソースの各々は同じタイプまたは構成のものである
請求項１乃至５の何れか１項に記載の方法。
【請求項７】
前記評価期間（８２１）の間に受信された前記セット（８２３）内の複数の参照信号リソースの前記一部分のチャネル品質に基づいて、前記無線デバイス（８１１）が前記ネットワークノード（８０１）と同期中かまたは同期外かを決定することをさらに含む
請求項１乃至６の何れか１項に記載の方法。
【請求項８】
前記無線デバイス（８１１）が同期中かまたは同期外かを前記決定することは、前記評価期間（８２１）の間に実行された前記監視することに応答する
請求項７に記載の方法。
【請求項９】
前記無線デバイス（８１１）が同期中かまたは同期外かを前記決定することは、一定の間隔で実行され、該一定の間隔の長さは前記評価期間（８２１）の長さ以下である
請求項６または７に記載の方法。
【請求項１０】
複数の参照信号リソースの前記セットは、前記無線デバイス（８１１）が前記ネットワークノード（８０１）によって構成されている複数の無線リンク監視参照信号リソースのサブセットまたは全てであり、
前記無線デバイス（８１１）が構成されている前記複数の無線リンク監視参照信号リソースは、ＳＳ／ＰＢＣＨブロックに関連付けられたリソースのセットの少なくともいくつかを含むが、実際に送信されたＳＳ／ＰＢＣＨブロックのセットに含まれないＳＳ／ＰＢＣＨブロックに関連付けられたリソースを含まない
請求項１に記載の方法。
【請求項１１】
前記評価期間（８２１）の長さは、該評価期間（８２１）に対応する前記セット（８２３）内の複数の参照信号リソースの前記一部分の長さに相当する
請求項１乃至１０の何れか１項に記載の方法。
【請求項１２】
前記評価期間（８２１）の開始は、前記ネットワークノード（８０１）によって送信される前記セット（８２３）の開始に相当する
請求項１乃至１１の何れか１項に記載の方法。
【請求項１３】
前記評価期間（８２１）の開始は、前記ネットワークノード（８０１）によって送信される前記セット（８２３）の開始の後であるが、該セット（８２３）の終了の前である
請求項１乃至１２の何れか１項に記載の方法。
【請求項１４】
前記評価期間（８２１）は、前記無線デバイス（８１１）が前記ネットワークノード（８０１）と同期中であるかを決定するための期間に対応する
請求項１乃至１３の何れか１項に記載の方法。
【請求項１５】
前記評価期間（８２１）は、前記無線デバイス（８１１）が前記ネットワークノード（８０１）と同期外であるかを決定するための期間に対応する
請求項１乃至１４の何れか１項に記載の方法。
【請求項１６】
前記評価期間（８２１）の長さは予め決定されている
請求項１乃至１５の何れか１項に記載の方法。
【請求項１７】
前記評価期間（８２１）の長さは関数に基づいており、該関数は、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
のパラメータの少なくとも１つに基づいている
請求項１乃至１６の何れか１項に記載の方法。
【請求項１８】
前記無線デバイス（８１１）によって、前記評価期間（８２１）を前記ネットワークノード（８０１）から受信することをさらに含む
請求項１乃至１７の何れか１項に記載の方法。
【請求項１９】
前記評価期間（８２１）を前記決定することは、前記受信することに応答する
請求項１８に記載の方法。
【請求項２０】
前記無線デバイス（８１１）によって、前記評価期間（８２１）を使用するか否かのインジケーションを前記ネットワークノード（８０１）から受信することをさらに含む
請求項１乃至１９の何れか１項に記載の方法。
【請求項２１】
前記評価期間（８２１）を前記決定することは、前記インジケーションが前記評価期間（８２１）を使用することを示すことを決定することに応答する
請求項２０に記載の方法。
【請求項２２】
前記無線デバイス（８１１）によって、前記評価期間（８２１）を決定するために使用されるパラメータの値を前記ネットワークノード（８０１）から受信することをさらに含み、前記評価期間（８２１）を前記決定することは、前記パラメータに基づいており、該パラメータは、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
の少なくとも１つである
請求項２０または２１に記載の方法。
【請求項２３】
前記評価期間（８２１）を決定するために使用される関数のパラメータの値を取得することをさらに含む
請求項１乃至２２の何れか１項に記載の方法。
【請求項２４】
無線デバイス（８１１）に対する無線リンク監視評価期間を構成するためのネットワークノード（８０１）によって実行される方法（２６００）であって、
前記ネットワークノード（８０１）によって送信される参照信号リソースのセット（８２３）内の複数の参照信号リソースの少なくとも一部分に共通する評価期間（８２１）を決定すること（２６１０）であって、前記セット（８２３）内の複数の参照信号リソースの少なくとも１つは該セット（８２３）内の複数の参照信号リソースの他の１つとは異なるタイプまたは構成である、前記決定すること（２６１０）と、
前記決定された評価期間（８２１）の間に送信された前記セット（８２３）内の複数の参照信号リソースの前記一部分のチャネル品質を前記無線デバイス（８１１）が監視するよう動作可能となるように、前記決定された評価期間（８２１）を構成すること（２６２０）と、
を含む方法。
【請求項２５】
前記チャネル品質を監視するための複数の参照信号リソースとして構成された複数のリソースのうちのどのリソースが送信されたかを指示するために、インジケーションを前記無線デバイス（８１１）に送信することをさらに含む
請求項２４に記載の方法。
【請求項２６】
前記評価期間（８２１）に対応する前記セット（８２３）内の複数の参照信号リソースの前記一部分を決定することをさらに含む
請求項２４または２５に記載の方法。
【請求項２７】
前記セット（８２３）内の複数の参照信号リソースの前記一部分は少なくとも２つの参照信号リソースを含む
請求項２４乃至２６の何れか１項に記載の方法。
【請求項２８】
前記決定された共通の評価期間（８２１）の間に受信された前記セット（８２３）内の複数の参照信号リソースの前記少なくとも一部分の複数の参照信号リソースの各々は同じタイプまたは構成のものである
請求項２４乃至２７の何れか１項に記載の方法。
【請求項２９】
前記評価期間（８２１）の長さは、該評価期間（８２１）に対応する前記セット（８２３）内の複数の参照信号リソースの前記一部分の長さに相当する
請求項２４乃至２８の何れか１項に記載の方法。
【請求項３０】
前記評価期間（８２１）の開始は、送信される前記セット（８２３）の開始に相当する
請求項２４乃至２９の何れか１項に記載の方法。
【請求項３１】
前記評価期間（８２１）の開始は、送信される前記セット（８２３）の開始の後であるが、該セット（８２３）の終了の前である
請求項２４乃至３０の何れか１項に記載の方法。
【請求項３２】
前記評価期間（８２１）の長さは予め決定されている
請求項２４乃至３１の何れか１項に記載の方法。
【請求項３３】
前記評価期間（８２１）の長さは関数に基づいており、該関数は、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
のパラメータの少なくとも１つに基づいている
請求項２４乃至３２の何れか１項に記載の方法。
【請求項３４】
前記ネットワークノード（８０１）によって、前記評価期間（８２１）を前記無線デバイス（８１１）に送信することをさらに含む
請求項２４乃至３３の何れか１項に記載の方法。
【請求項３５】
前記評価期間（８２１）を使用するか否かを決定することをさらに含む
請求項２４乃至３３の何れか１項に記載の方法。
【請求項３６】
前記ネットワークノード（８０１）によって、前記評価期間（８２１）を使用するか否かのインジケーションを前記無線デバイス（８１１）に送信することをさらに含む
請求項２４乃至３５の何れか１項に記載の方法。
【請求項３７】
前記評価期間（８２１）を前記決定することは、前記評価期間（８２１）を使用するか否かを決定することに応答する
請求項２４乃至３６の何れか１項に記載の方法。
【請求項３８】
前記評価期間（８２１）を決定するために使用される関数のパラメータの値を取得することをさらに含み、前記評価期間（８２１）を前記決定することは、前記パラメータに基づいている
請求項２４乃至３７の何れか１項に記載の方法。
【請求項３９】
前記ネットワークノード（８０１）によって、前記評価期間（８２１）を決定するために前記無線デバイス（８１１）によって使用される関数のパラメータの値を前記無線デバイス（８１１）に送信することをさらに含み、前記パラメータは、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
の少なくとも１つである
請求項２４乃至３８の何れか１項に記載の方法。
【請求項４０】
前記評価期間（８２１）に関連する前記無線デバイス（８１１）の少なくとも１つのタイマまたはカウンタを構成することをさらに含む
請求項２４乃至３９の何れか１項に記載の方法。
【請求項４１】
無線デバイス（８１１）であって、
ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に受信された前記セット（８２３）内の複数の参照信号リソースの前記一部分のチャネル品質を監視する、
ように構成された無線デバイス。
【請求項４２】
請求項２乃至２３の何れか１項に記載の方法を実行するようにさらに構成された
請求項４８に記載の無線デバイス。
【請求項４３】
無線デバイス（８１１）であって、
処理回路（９１０）とメモリ（９３０）とを有し、該メモリ（９３０）は前記処理回路（９１０）によって実行可能な命令を含んでおり、それによって前記無線デバイス（８１１）は、
ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に受信された前記セット（８２３）内の複数の参照信号リソースの前記一部分のチャネル品質を監視する、
ように構成された無線デバイス。
【請求項４４】
前記無線デバイス（８１１）は、請求項２乃至２３の何れか１項に記載の方法を実行するようにさらに構成される
請求項５０に記載の無線デバイス。
【請求項４５】
ネットワークノード（８０１）であって、
前記ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に送信された前記セット（８２３）内の複数の参照信号リソースの前記一部分のチャネル品質を無線デバイス（８１１）が監視するよう動作可能となるように、前記決定された評価期間（８２１）を構成する、
ように構成されたネットワークノード。
【請求項４６】
請求項２４乃至４０の何れか１項に記載の方法を実行するようにさらに構成された
請求項５２に記載のネットワークノード。
【請求項４７】
ネットワークノード（８０１）であって、
処理回路（１２１０）とメモリ（１２３０）とを有し、該メモリ（１２３０）は前記処理回路（１２１０）によって実行可能な命令を含んでおり、それによって前記ネットワークノード（８０１）は、
前記ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に送信された前記セット（８２３）内の複数の参照信号リソースの前記一部分のチャネル品質を無線デバイス（８１１）が監視するよう動作可能となるように、前記決定された評価期間（８２１）を構成する、
ように構成されたネットワークノード。
【請求項４８】
前記ネットワークノード（８０１）は、請求項２４乃至４０の何れか１項に記載の方法を実行するようにさらに構成される
請求項５４に記載のネットワークノード。
【請求項４９】
複数の命令を含むコンピュータプログラムであって、
無線ノード（８０１、８１０）の少なくとも１つのプロセッサにより実行されたとき、前記無線ノード（８０１、８１１）に請求項１乃至４０の何れか１項に記載の方法（２５００、２６００）を実行させる
コンピュータプログラム。
【請求項５０】
請求項５６に記載のコンピュータプログラムを含むキャリアであって、前記キャリアは、電気信号、光信号、電波信号、またはコンピュータ可読記憶媒体の１つである
キャリア。
【発明の詳細な説明】
【技術分野】
【０００１】
関連出願
本出願は、２０１７年１１月１７日に出願された米国仮特許出願シリアル番号第６２／５８８１８２号の優先権を主張し、その内容全体は参照により本明細書に組み込まれる。
【０００２】
本開示は、一般に、無線通信システムにおける無線リンク監視（ＲＬＭ）に関するものであり、より詳細には、無線デバイスがチャネル品質を監視することを可能にするＲＬＭ評価期間を構成することに関するものである。
【背景技術】
【０００３】
無線リンク監視（ＲＬＭ）の目的は、通常、無線デバイス（例えばユーザ装置（ＵＥ））のサービングセルの無線リンク品質を監視し、その情報を使用して、そのサービングセルに関して無線デバイスが同期しているかどうかを判断することである。ロングタームエボリューション（ＬＴＥ）は、ＲＬＭをサポートする。しかし、第３世代パートナーシッププロジェクト（３ＧＰＰ）では、ニューラジオ（ＮＲ）（第５世代（５Ｇ）または次世代（ＮＧ）としても知られる）アーキテクチャが議論されている。歴史的にＲＬＭが実行されてきた方法、例えばＬＴＥでの方法は、ＬＴＥの将来のバージョンやＮＲなどの後続アーキテクチャでの使用には必ずしも適していないし、効率的ではない。
【発明の概要】
【０００４】
本開示の実施形態によれば、無線デバイスまたはネットワークノードは、前記ネットワークノードによって送信される参照信号リソースのセット内の複数の参照信号リソースの少なくとも一部分に共通する評価期間を決定し、前記セット内の複数の参照信号リソースの少なくとも１つは該セット内の複数の参照信号リソースの他の１つとは異なるタイプまたは構成である。いくつかの実施形態では、このような評価期間の決定は、例えば、様々な無線環境におけるＲＬＭ評価期間の構成を可能にするために適しており、および／または他の利点を提供することができる。
【０００５】
より具体的には、本開示の実施形態は、無線リンク監視評価期間を構成するための無線デバイスによって実行される方法を含む。該方法は、ネットワークノードによって送信される参照信号リソースのセット内の複数の参照信号リソースの少なくとも一部分に共通する評価期間を決定することを含み、前記セット内の複数の参照信号リソースの少なくとも１つは該セット内の複数の参照信号リソースの他の１つとは異なるタイプまたは構成である。前記方法は、前記決定された評価期間の間に受信された前記セット内の複数の参照信号リソースの前記一部分のチャネル品質を監視することをさらに含む。
【０００６】
いくつかの実施形態では、前記方法は、前記チャネル品質を監視するための複数の参照信号リソースとして前記ネットワークノードによって構成された複数のリソースのうちのどのリソースが、前記ネットワークノードによって送信される複数の参照信号リソースの前記セットに含まれているかを決定することをさらに含む。そのようないくつかの実施形態では、前記チャネル品質を監視するための複数の参照信号リソースとして前記ネットワークノードによって構成された複数のリソースのうちのどのリソースが、前記ネットワークノードによって送信される複数の参照信号リソースの前記セットに含まれているかを前記決定することは、前記チャネル品質を監視するための複数の参照信号リソースとして構成された複数のリソースのうちのどのリソースが送信されたかを示す前記ネットワークノードからのインジケーションに基づく。
【０００７】
いくつかの実施形態では、前記方法は、前記評価期間に対応する前記セット内の複数の参照信号リソースの前記一部分を決定することをさらに含む。
【０００８】
いくつかの実施形態では、前記セット内の複数の参照信号リソースの前記一部分は少なくとも２つの参照信号リソースを含む。
【０００９】
いくつかの実施形態では、前記決定された評価期間の間に受信された前記セット内の複数の参照信号リソースの前記一部分の複数の参照信号リソースの少なくとも１つは、前記一部分の複数の参照信号リソースの他の１つと異なるタイプまたは構成のものである。
【００１０】
いくつかの実施形態では、前記方法は、前記評価期間の間に受信された前記セット内の複数の参照信号リソースの前記一部分のチャネル品質に基づいて、前記無線デバイスが前記ネットワークノードと同期中かまたは同期外かを決定することをさらに含む。いくつかの実施形態では、前記無線デバイスが同期中かまたは同期外かを前記決定することは、前記評価期間の前記監視することに応答する。いくつかの実施形態では、前記無線デバイスが同期中かまたは同期外かを前記決定することは、追加的にまたは代替的に、一定の間隔で実行される。いくつかのそのような実施形態では、該一定の間隔の長さは前記評価期間の長さ以下である。
【００１１】
いくつかの実施形態では、前記評価期間の長さは、該評価期間に対応する前記セット内の複数の参照信号リソースの前記一部分の長さに相当する。
【００１２】
いくつかの実施形態では、前記評価期間の開始は、前記ネットワークノードによって送信される前記セットの開始に相当する。
【００１３】
いくつかの実施形態では、前記評価期間の開始は、前記ネットワークノードによって送信される前記セットの開始の後であるが、該セットの終了の前である。
【００１４】
いくつかの実施形態では、前記評価期間は、前記無線デバイスが前記ネットワークノードと同期中であるかを決定するための期間に対応する。
【００１５】
いくつかの実施形態では、前記評価期間は、前記無線デバイスが前記ネットワークノードと同期外であるかを決定するための期間に対応する。
【００１６】
いくつかの実施形態では、前記評価期間の長さは、前記無線デバイスが前記ネットワークノードと同期中であるかを決定するための期間は、前記無線デバイスが前記ネットワークノードと同期外であるかを決定するための期間と異なる。
【００１７】
いくつかの実施形態では、前記評価期間の長さは予め決定されている。
【００１８】
いくつかの実施形態では、前記評価期間の長さは関数に基づいている。そのようないくつかの実施形態では、該関数は、周期性、帯域幅、密度、前記セットが構成される周波数範囲、複数の参照信号を含む前記セットのサンプル数、可能な最短の評価期間、不連続受信（ＤＲＸ）構成、ギャップ構成、ＳＭＴＣ期間、のパラメータの少なくとも１つに基づいている。
【００１９】
いくつかの実施形態では、前記方法は、前記無線デバイスによって、前記評価期間を前記ネットワークノードから受信することをさらに含む。
【００２０】
いくつかの実施形態では、前記評価期間を前記決定することは、前記受信することに応答する。
【００２１】
いくつかの実施形態では、前記方法は、前記無線デバイスによって、前記評価期間を使用するか否かのインジケーションを前記ネットワークノードから受信することをさらに含む。そのようないくつかの実施形態では、前記評価期間を前記決定することは、前記インジケーションが前記評価期間を使用することを示すことを決定することに応答する。さらに、または代替的に、前記方法は、前記無線デバイスによって、前記評価期間を決定するために使用されるパラメータの値を前記ネットワークノードから受信することをさらに含み得、前記評価期間を前記決定することは、前記パラメータに基づいている。そのようないくつかの実施形態では、該パラメータは、周期性、帯域幅、密度、前記セットが構成される周波数範囲、複数の参照信号を含む前記セットのサンプル数、可能な最短の評価期間、不連続受信（ＤＲＸ）構成、ギャップ構成、ＳＭＴＣ期間、の少なくとも１つである。さらに、または代替的に、実施形態によれば、前記パラメータは、前記評価期間を決定するための関数に対応する。
【００２２】
いくつかの実施形態では、前記方法は、前記評価期間を決定するために使用される関数のパラメータの値を取得することをさらに含む。
【００２３】
本開示の他の実施形態は、無線デバイスに対する無線リンク監視評価期間を構成するためのネットワークノードによって実行される方法を含む。該方法は、前記ネットワークノードによって送信される参照信号リソースのセット内の複数の参照信号リソースの少なくとも一部分に共通する評価期間を決定することを含み、前記セット内の複数の参照信号リソースの少なくとも１つは該セット内の複数の参照信号リソースの他の１つとは異なるタイプまたは構成である。前記方法はさらに、前記決定された評価期間の間に送信された前記セット内の複数の参照信号リソースの前記一部分のチャネル品質を前記無線デバイスが監視するよう動作可能となるように、前記決定された評価期間を構成することを含む。
【００２４】
いくつかの実施形態では、前記方法は、前記チャネル品質を監視するための複数の参照信号リソースとして構成された複数のリソースのうちのどのリソースが送信されたかを指示するために、インジケーションを前記無線デバイスに送信することをさらに含む。
【００２５】
いくつかの実施形態では、前記方法は、前記評価期間に対応する前記セット内の複数の参照信号リソースの前記一部分を決定することをさらに含む。
【００２６】
いくつかの実施形態では、前記セット内の複数の参照信号リソースの前記一部分は少なくとも２つの参照信号リソースを含む。
【００２７】
いくつかの実施形態では、前記決定された評価期間の間に送信された前記セット内の複数の参照信号リソースの前記一部分の複数の参照信号リソースの少なくとも１つは、、前記一部分の複数の参照信号リソースの他の１つと異なるタイプまたは構成のものである。
【００２８】
いくつかの実施形態では、前記評価期間の長さは、該評価期間に対応する前記セット内の複数の参照信号リソースの前記一部分の長さに相当する。
【００２９】
いくつかの実施形態では、前記評価期間の開始は、送信される前記セットの開始に相当する。
【００３０】
いくつかの実施形態では、前記評価期間の開始は、送信される前記セットの開始の後であるが、該セットの終了の前である。
【００３１】
いくつかの実施形態では、前記評価期間の長さは予め決定されている。
【００３２】
いくつかの実施形態では、前記評価期間の長さは関数に基づいている。そのようないくつかの実施形態では、該関数は、周期性、帯域幅、密度、前記セットが構成される周波数範囲、複数の参照信号を含む前記セットのサンプル数、可能な最短の評価期間、不連続受信（ＤＲＸ）構成、ギャップ構成、ＳＭＴＣ期間、のパラメータの少なくとも１つに基づいている。
【００３３】
いくつかの実施形態では、前記方法は、前記ネットワークノードによって、前記評価期間を前記無線デバイスに送信することをさらに含む。
【００３４】
いくつかの実施形態では、前記方法は、前記評価期間を使用するか否かを決定することをさらに含む。
【００３５】
一部の実施形態では、前記方法は、前記ネットワークノードによって、前記評価期間を使用するか否かのインジケーションを前記無線デバイスに送信することをさらに含む。
【００３６】
いくつかの実施形態では、前記評価期間を前記決定することは、前記評価期間を使用するか否かを決定することに応答する。
【００３７】
いくつかの実施形態では、前記方法は、前記評価期間を決定するために使用される関数のパラメータの値を取得することをさらに含む。いくつかのそのような実施形態では、前記評価期間を前記決定することは、前記パラメータに基づいている。
【００３８】
いくつかの実施形態では、前記方法は、前記ネットワークノードによって、前記評価期間を決定するために前記無線デバイスによって使用される関数のパラメータの値を前記無線デバイスに送信することをさらに含む。そのようないくつかの実施形態では、前記パラメータは、周期性、帯域幅、密度、前記セットが構成される周波数範囲、複数の参照信号を含む前記セットのサンプル数、可能な最短の評価期間、不連続受信（ＤＲＸ）構成、ギャップ構成、ＳＭＴＣ期間、の少なくとも１つである。
【００３９】
いくつかの実施形態では、前記方法は、前記評価期間に関連する前記無線デバイスの少なくとも１つのタイマまたはカウンタを構成することをさらに含む。
【００４０】
本開示の他の実施形態では、ネットワークノードによって送信される参照信号リソースのセット内の複数の参照信号リソースの少なくとも一部分に共通する評価期間を決定し、前記セット内の複数の参照信号リソースの少なくとも１つは該セット内の複数の参照信号リソースの他の１つとは異なるタイプまたは構成である、ように構成された無線デバイスを含む。該無線デバイスは、前記決定された評価期間の間に受信された前記セット内の複数の参照信号リソースの前記一部分のチャネル品質を監視する、ようにさらに構成される。
【００４１】
いくつかの実施形態では、前記無線デバイスは、無線デバイスに関して上述した方法の何れかを実行するようにさらに構成される
【００４２】
いくつかの実施形態では、前記無線デバイスは、処理回路とメモリとを有し、該メモリは前記無線デバイスが構成されている前記処理回路によって実行可能な命令を含む。
【００４３】
本開示の他の実施形態では、ネットワークノードによって送信される参照信号リソースのセット内の複数の参照信号リソースの少なくとも一部分に共通する評価期間を決定し、前記セット内の複数の参照信号リソースの少なくとも１つは該セット内の複数の参照信号リソースの他の１つとは異なるタイプまたは構成である、ように構成されたネットワークノードを含む。該ネットワークノードは、前記決定された評価期間の間に送信された前記セット内の複数の参照信号リソースの前記一部分のチャネル品質を無線デバイスが監視するよう動作可能となるように、前記決定された評価期間を構成する、ようにさらに構成される。
【００４４】
いくつかの実施形態では、前記ネットワークノードは、ネットワークノードに関して上述した方法の何れかを実行するようにさらに構成される。
【００４５】
いくつかの実施形態では、前記ネットワークノードは、処理回路とメモリとを有し、該メモリは前記ネットワークノードが構成されている前記処理回路によって実行可能な命令を含む。
【００４６】
本開示の他の実施形態は、無線ノード（例えば、無線デバイスまたはネットワークノード）の少なくとも１つのプロセッサによって実行されたとき、該無線ノードに上述の方法の何れかを実行させる命令を含むコンピュータプログラムを含む。
【００４７】
本開示の他の実施形態は、そのようなコンピュータプログラムを含むキャリアを含む。該キャリアは、電気信号、光信号、電波信号、またはコンピュータ可読記憶媒体の何れかである。
【００４８】
上述した実施形態のいずれかは、以下に説明する特徴のうちの１つ以上をさらに含んでいてもよい。
【図面の簡単な説明】
【００４９】
本開示の側面は、例示のために図示されており、類似の参照が類似の要素を示す添付の図に限定されない。一般的に、参照数字の使用は、１つ以上の実施形態に従って描かれた主題を参照しているとみなされるべきであり、図示された要素の特定のインスタンスの議論は、それに文字指定を付加する（例えば、ビーム４１０の議論は、ビーム４１０ａ、４１０ｂ、４１０ｃ、４１０ｄ、および４１０ｅの特定のインスタンスの議論とは対照的に、一般的である）。
【００５０】
【図１】本開示の１つ以上の実施形態に従った、例示的なＮＲアーキテクチャを示す概略図である。
【図２Ａ】本開示の１つ以上の実施形態に従った、例示的な非中央集中ＮＲ展開シナリオを示す概略図である。
【図２Ｂ】本開示の１つ以上の実施形態に従った、例示的な共同配置ＮＲ展開シナリオを示す概略図である。
【図２Ｃ】本開示の１つ以上の実施形態に従った、例示的な中央集中ＮＲ展開シナリオを示す概略図である。
【図２Ｄ】本開示の１つ以上の実施形態に従った、例示的な共有ＮＲ展開シナリオを示す概略図である。
【図３】ハイブリッドビームフォーミングの一例を示す概略図である。
【図４Ａ】本開示の１つ以上の実施形態に従った、２つのサブアレイ上での送信ビーム掃引の例を示す概略図である。
【図４Ｂ】本開示の１つ以上の実施形態による、３つのサブアレイ上での送信ビーム掃引の例を示す概略図である。
【図５】本開示の１つ以上の実施形態に従った、ＳＳブロック、ＳＳバースト、およびＳＳバーストセット／シリーズの例示的な構成を示すタイムライン図である。
【図６】本開示の１つ以上の実施形態に従った、タイムスロット内および５ｍｓウィンドウ内でのＳＳブロックのマッピングの例を説明する概略図である。
【図７】本開示の１つ以上の実施形態に従った、例示的なＲＬＦ手順を示す概略図である。
【図８】本開示の１つ以上の実施形態に従った、評価期間を構成するための例示的なシステムを示す概略図である。
【図９】本開示の１つ以上の実施形態に従った、例示的な無線デバイスを示す概略図である。
【図１０】本開示の１つ以上の実施形態に従った、例示的な無線デバイスを示す概略図である。
【図１１】本開示の１つ以上の実施形態に従った、無線デバイスによって実行される例示的な方法を示すフロー図である。
【図１２】本開示の１つ以上の実施形態に従った、例示的なネットワークノードを示す概略図である。
【図１３】本開示の１つ以上の実施形態に従った、例示的なネットワークノードを示す概略図である。
【図１４】本開示の１つ以上の実施形態に従った、ネットワークノードによって実行される例示的な方法を示すフロー図である。
【図１５】本開示の１つ以上の実施形態に従った、スライディングウィンドウ評価期間を有するＲＬＭの例を示す概略図である。
【図１６】本開示の特定の実施形態に従った、例示的な無線ネットワークを示す概略ブロック図である。
【図１７】本開示の特定の実施形態に従った、ユーザ装置の一例を示す概略ブロック図である。
【図１８】本開示の特定の実施形態に従った、仮想化環境の一例を示す概略ブロック図である。
【図１９】本開示の特定の実施形態に従った、例示的な電気通信ネットワークを示す概略ブロック図である。
【図２０】本開示の特定の実施形態に従った、例示的な通信システムを示す概略ブロック図である。
【図２１】本開示の特定の実施形態に従った、例示的な方法を示すフロー図である。
【図２２】本開示の特定の実施形態に従った、例示的な方法を示すフロー図である。
【図２３】本開示の特定の実施形態に従った、例示的な方法を示すフロー図である。
【図２４】本開示の特定の実施形態に従った、例示的な方法を示すフロー図である。
【図２５】本開示の特定の実施形態に従った、例示的な方法を示すフロー図である。
【図２６】本開示の特定の実施形態に従った、例示的な方法を示すフロー図である。
【発明を実施するための形態】
【００５１】
本開示において、用語ｅＮＢは、ロングタームエボリューション（ＬＴＥ）ｅＮｏｄｅＢを表す。用語ｇＮＢおよびｎｇ−ｅＮＢ（または進化型ｅＮＢ）は、ＮＲ基地局（ＢＳ）を表す（１つのＮＲ＿ＢＳは、１つまたは複数の送受信ポイントに対応することができる）。図１は、本開示の１つ以上の実施形態に従った例示的なＮＲアーキテクチャ１００を示す。ＮＲアーキテクチャ１００は、５Ｇコア（５ＧＣ）とＮＧ無線アクセスネットワーク（ＮＧ−ＲＡＮ）とから構成される。５ＧＣは、複数のアクセス管理機能（ＡＭＦ）／ユーザプレーン機能（ＵＰＦ）ノードから構成される。ＮＧ−ＲＡＮは、複数のｇＮＢと複数のＮＧ−ｅＮＢで構成されている。ＡＭＦ／ＵＰＦノードの各々は、ＮＧ−ＲＡＮ内の各ノードへのＮＧインタフェースを有する。ＮＧ−ＲＡＮ内のノードは、ＮＧ−ＲＡＮ内の任意の他のノードへのＸｎインタフェースを有していてもよい。
【００５２】
本開示の実施形態によれば、ＬＴＥ＿ＢＳおよびＮＲ＿ＢＳは、様々なシナリオに従って配置されてもよい。そのようなシナリオのいくつかの例が、図２Ａ〜図２Ｄに示されている。
【００５３】
特に、図２Ａは、２つのＮＲ＿ＢＳおよびＬＴＥ＿ｅＮＢが互いに共在しない例示的な非中央集中展開シナリオを例示している。基地局の各々は、ＲＡＮ−ＣＮインタフェースによってコアネットワーク（ＣＮ）に接続されている。ＢＳは、ＢＳ間インタフェースによって互いに接続されていてもよい。
【００５４】
図２Ｂは、２つのサイトがそれぞれＬＴＥとＮＲ機能を含み、各サイトがＣＮに接続されている場合の共同配置シナリオの例を示している。
【００５５】
図２Ｃは、ＮＲ＿ＢＳ機能の中央ユニット／上位レイヤがＣＮに接続され、同じＮＲ＿ＢＳ中央ユニット／上位レイヤによってサポートされる複数のＮＲ＿ＢＳ下位レイヤへのインタフェースを持つ中央集中シナリオの例を示している。
【００５６】
図２Ｄは、複数のＮＲ＿ＢＳの各々が複数のコアオペレータをサポートする例示的な共有展開シナリオを示す。すなわち、各ＮＲ＿ＢＳは、複数のコアオペレータによって共有される。
【００５７】
ＢＳは、１つ以上のマルチアンテナ方式をサポートしてもよい。ＮＲでは、１００ＧＨｚまでの周波数範囲が採用される可能性が高い。６ＧＨｚを超える高周波無線通信は、大きな経路損失および浸透損失に悩まされる。したがって、ＮＲでの使用を意図した本開示の実施形態は、大規模な多入力多出力（ＭＩＭＯ）スキームを含み得る。特に、本開示の様々な実施形態は、ビームフォーミングに対するアナログ、デジタル、およびハイブリッド（すなわち、アナログとデジタルの組み合わせ）アプローチを含む。特定の実施形態によるハイブリッドビームフォーミングの例は、図３に描かれている。図３に示すように、ＭＩＭＯエンコーダおよびデジタルプリコーダを含むデジタルプリコーディングシステムは、複数の逆高速フーリエ変換（ＩＦＦＴ）ユニットまたはモジュールに出力を提供してもよい。ＩＦＦＴユニットまたはモジュールのそれぞれは、それぞれのパラレル−シリアル変換器に出力し、それぞれのデジタル−アナログ変換器（ＤＡＣ）に出力する。各ＤＡＣは、アンテナのサブアレイを介して信号を伝送するためのそれぞれのアナログビームフォーミング回路に出力する。実施形態によれば、ビームフォーミングは、送信ビームおよび／または受信ビーム上であり得る。ビームフォーミングは、ネットワーク側またはＵＥ側でもよい。
【００５８】
サブアレイのアナログビームは、各直交周波数分割多重（ＯＦＤＭ）シンボル上で単一の方向に向けてステアリングをかけることができる。したがって、サブアレイの数は、各ＯＦＤＭシンボル上のビーム方向の数および対応するカバレッジを決定する。しかしながら、サービングエリア全体をカバーするためのビームの数は、特に個々のビーム幅が狭い場合には、典型的にはサブアレイの数よりも大きい。したがって、サービング領域全体をカバーするためには、時間領域で異なるようにステアリングされた狭いビームを有する複数の送信も必要とされる可能性が高い。この目的のための複数の狭いカバレッジビームの提供は、「ビーム掃引」と呼ばれてきた。アナログビームフォーミングやハイブリッドビームフォーミングでは、基本的なカバレージを提供するためにビーム掃引が使用されることが多い。この目的のために、異なるステアリングビームをサブアレイを通して送信することができる複数のＯＦＤＭシンボルを割り当て、周期的に伝送することができる。
【００５９】
ビーム掃引は、様々な方法で実行されてもよい。図４Ａおよび図４Ｂは、時間経過に伴う送信ビーム掃引の一組の例を図示している。特に、図４Ａは、本開示の１つ以上の実施形態に従った、２つのサブアレイ上での送信ビーム掃引の例を示す。この例では、送信ビーム４１０ａ、４１０ｂは、サブアレイのそれぞれから延びており、それぞれ反時計回り方向に掃引される。この例によれば、ビーム４１０ａ、４１０ｂは、比較的近くに間隔をあけて配置されている。
【００６０】
図４Ｂは、送信ビーム掃引の他の例を示す。図４Ｂの例では、ビーム４１０ｃ、４１０ｄ、４１０ｅを反時計回り方向に掃引する３つのサブアレイも使用する。この例のビーム４１０ｃ、４１０ｄ、４１０ｅは、比較的等間隔に配置されている。
【００６１】
ビーム４１０上で送信される同期信号（ＳＳ）は、周波数内、周波数間、およびＲＡＴ間（すなわち、他のＲＡＴからのＮＲ測定）を含むＮＲキャリア上の測定に使用されてもよい。いくつかの実施形態では、ＳＳブロック構成がＳＳに使用される。いくつかの実施形態では、ＳＳバースト構成がＳＳに使用される。
【００６２】
ＳＳブロック（ＳＳ／ＰＢＣＨブロックまたはＳＳＢと呼ばれることもある）では、一次同期信号（ＰＳＳ）、二次同期信号（ＳＳＳ）および／または物理ブロードキャストチャネル（ＰＢＣＨ）が、ＳＳブロック内で送信され得る。物理ブロードキャストチャネル（ＰＢＣＨ）は、無線デバイス（例えば、ＵＥ）がシステムにアクセスするために使用する基本システム情報の一部を含む。所与の周波数帯域について、ＳＳブロックは、１つのサブキャリア間隔（例えば、デフォルトまたは構成される）に基づくＮ個のＯＦＤＭシンボルに対応し、Ｎは定数である。ＵＥは、ＳＳブロックから少なくともＯＦＤＭシンボルインデックス、無線フレーム内のスロットインデックス、無線フレーム番号を識別することができる。少なくともマルチビームの場合には、ＳＳブロックのタイムインデックスがＵＥに送信される。
【００６３】
ＳＳバーストセット（またはシリーズ）は、１つのＳＳバーストセット内のＳＳブロックの数が有限である１つまたは複数のＳＳブロックから構成される。物理レイヤ仕様の観点から、ＳＳバーストセットの少なくとも１つの周期性がサポートされる。ＵＥの観点からは、ＳＳバーストセットの送信は周期的である。少なくとも初期セル選択のために、ＵＥは、所定のキャリア周波数（例えば、５ｍｓ、１０ｍｓ、２０ｍｓ、４０ｍｓ、８０ｍｓ、または１６０ｍｓのうちの１つ）に対するＳＳバーストセット送信のデフォルトの周期性を想定してもよい。ＵＥは、所定のＳＳブロックがＳＳバーストセットの周期性で繰り返されると仮定してもよい。デフォルトでは、ＵＥは、ネットワークノード（例えば、ｇＮＢ）が同じ数の物理ビーム（複数可）を送信することも、ＳＳバーストセット内の異なるＳＳブロックにわたって同じ物理ビーム（複数可）を送信することも想定してはならない。
【００６４】
３ＧＨｚまでの周波数範囲についてのＳＳバーストセット内のＳＳブロックの最大数Ｌは４であり、３ＧＨｚから６ＧＨｚまでの周波数範囲についてのＳＳバーストセット内のＳＳブロックの最大数Ｌは８であり、６ＧＨｚから５２．６ＧＨｚまでの周波数範囲についてのＳＳバーストセット内のＳＳブロックの最大数Ｌは６４である。
【００６５】
周波数帯域ごとに、可能なＳＳブロック時間位置（例えば、無線フレームに関して、またはＳＳバーストセットに関して）の単一のセットが指定される。ネットワークは、様々な実施形態によれば、これらの指定された時間位置でＳＳブロックを送信してもよいし、送信しなくてもよい。実際に送信されるＳＳブロックの数は、異なるセルで異なっていてもよい。
【００６６】
実際に送信されたＳＳブロックの位置（複数可）は、ＣＯＮＮＮＥＣＴＥＤ／ＩＤＬＥモード測定を支援するため、ＣＯＮＮＥＣＴＥＤモードＵＥが未使用のＳＳブロックでＤＬデータ／制御を受信するのを支援するため、および潜在的にＩＤＬＥモードＵＥが未使用のＳＳブロックでＤＬデータ／制御を受信するのを支援するために知らされ得る。
【００６７】
各キャリアについて、ＳＳブロックは、時間的に整列されていてもよいし、完全にまたは少なくとも一部が重なっていてもよいし、ＳＳブロックの先頭が時間的に整列されていてもよい（例えば、実際に送信されるＳＳブロックの数が異なるセルで異なる場合）。図５は、ＳＳブロック、ＳＳバースト、およびＳＳバーストセット／シリーズの例示的な構成を示す図である。図５の例によれば、複数のＳＳブロックは、一定の周期で繰り返されるＳＳバーストを形成する。周期的なＳＳバーストは、ＳＳバーストセット／シリーズを形成する。
【００６８】
この例によれば、バーストセット内のＳＳブロックのすべてが５ｍｓのウィンドウ内にあるが、そのようなウィンドウ内のＳＳブロックの数は、ヌメロロジーおよびＬの値に依存する（例えば、２４０ｋＨｚのサブキャリア間隔（ＳＣＳ）では最大６４個のＳＳブロック）。
【００６９】
タイムスロット内および５ｍｓウィンドウ内のＳＳブロックのための例示的なマッピングを図６に示す。図６に示されたマッピングは、ＳＣＳとＬの異なる組み合わせに従って構成された例示的なＳＳブロックを示しており、特に、図６は、Ｌ＝４の１５ｋＨｚのＳＣＳ、Ｌ＝８の１５ｋＨｚのＳＣＳ、Ｌ＝４の３０ｋＨｚのＳＣＳ、Ｌ＝８の３０ｋＨｚのＳＣＳ、Ｌ＝６４の１２０ｋＨｚのＳＣＳ、およびＬ＝６４の２４０ｋＨｚのＳＣＳを使用した例示的なマッピングを示している。
【００７０】
上で簡単に説明したように、ＲＬＭの目的は、従来は、ＵＥのサービングセルの無線リンク品質を監視し、その情報を使用して、ＵＥがそのサービングセルに関して同期中か同期外かを判断することである。ＬＴＥでは、ＵＥは、ＲＲＣ＿ＣＯＮＮＥＣＴＥＤ状態の間にダウンリンク参照シンボル（セル固有参照信号（ＣＲＳ）など）を測定することでＲＬＭを実行することができる。ＲＬＭプロセスが、一定数の連続した同期外（ＯＯＳ）指示（インジケーション）を生成する場合、ＵＥは、無線リンク障害（ＲＬＦ）手順を開始し、ＲＬＦタイマ（例えば、Ｔ３１０タイマ）の満了後にＲＬＦを宣言する。実際のＲＬＦ手順は、推定されたダウンリンク参照シンボル測定値を、１つ以上のしきい値（例えば、いくつかの目標ブロックエラーレート（ＢＬＥＲ）、Ｑout、および／またはＱin）と比較することによって実行されてもよい。ＱoutおよびＱinは、サービングセルからの仮想物理ダウンリンク制御チャネル（ＰＤＣＣＣＨ）／物理制御フォーマット指示チャネル（ＰＣＦＩＣＨ）送信のＢＬＥＲに対応する。ＱoutおよびＱinの例は、それぞれ１０％および２％である。
【００７１】
図７は、本開示の１つ以上の実施形態に従った例示的なＲＬＦ手順を示しており、これは、様々な無線通信技術、例えばＬＴＥとの使用に適しているかもしれない。ＲＬＦ手順は、２つのフェーズを有する。第１フェーズは、無線問題検出時に開始され、無線リンク障害検出につながる。第２フェーズ（ＲＲＣリカバリー）は、無線リンク障害検出またはハンドオーバ障害時に開始され、ＲＲＲＣリカバリーが失敗した場合にＲＲＣ＿ＩＤＬＥにつながる。
【００７２】
１つ以上のシングルキャリアおよびキャリアアグリゲーション（ＣＡ）の実施形態によれば、プライマリセル（ＰＣｅｌｌ）がＲＬＦを経験したときに再確立がトリガされる。ＵＥは、セカンダリセル（ＳＣｅｌｌ）のＲＬＦを監視しておらず、代わりにｅＮＢによって監視されてもよい。
【００７３】
１つ以上のデュアルコネクティビティ（ＤＣ）の実施形態によれば、ＰＣｅｌｌおよびプライマリＳＣｅｌｌ（ＰＳＣｅｌ）のＲＬＦ手順の第１フェーズがサポートされる。再確立は、ＰＣｅｌｌがＲＬＦを経験したときにトリガされる。ただし、ＰＳＣｅｌｌでＲＬＦを検出した場合、第１フェーズの終了時には再確立手順はトリガされない。その代わりに、ＵＥは、ＰＳＣｅｌｌの無線リンク障害をマスターｅＮＢ（ＭｅＮＢ）に通知する。
【００７４】
レイヤ１（Ｌ１）上のＲＬＭに加えて、ＲＬＦは、レイヤ２（Ｌ２）によってトリガされてもよく、このトリガは、その後、レイヤ３（Ｌ３）に報告される。Ｌ２トリガは、例えば、再送の最大数に達したという無線リンク制御（ＲＬＣ）からの指示時、または媒体アクセス制御（ＭＡＣ）からのランダムアクセス問題の指示時であってもよい。
【００７５】
上記にかかわらず、ＮＲにおけるＲＬＭは、ネットワークによって構成された最大８個の（予備的な）ＲＬＭ参照信号（ＲＬＭ−ＲＳ）リソースに基づいて実行されてもよい。具体的には、１つのＲＬＭ−ＲＳリソースは、１つのＳＳ／ＰＢＣＨブロックまたは１つのチャネル状態情報（ＣＳＩ）参照信号（ＣＳＩ−ＲＳ）リソース／ポートのいずれかであり、ＲＬＭ−ＲＳリソースは、ＵＥ固有に構成されていてもよい。ＵＥが１つまたは複数のＲＬＭ−ＲＳリソースに対してＲＬＭを実行するように設定されている場合、設定されたＸ個のＲＬＭ−ＲＳリソースのうち少なくともＹ＝１のＲＬＭ−ＲＳリソースに基づく仮想ＰＤＣＣＨ＿ＢＬＥＲに対応する推定リンク品質がＱinしきい値以上であれば、定期的なＩＳ（ｉｎ−ｓｙｎｃ）を表示してもよい。周期的なＯＯＳ（ｏｕｔ−ｏｆ−ｓｙｎｃ）は、すべての構成されたＸ個のＲＬＭ−ＲＳリソースに基づく仮想ＰＤＣＣＨ＿ＢＬＥＲに対応する推定リンク品質がＱoutしきい値を下回った場合に表示されることがある。
【００７６】
このように、ＬＴＥとは異なり、ＮＲ＿ＵＥは、最大８個の可能性がある複数のＲＬＭ−ＲＳリソースで構成されていてもよく、これは、１つまたは複数の課題を提示する可能性がある。例えば、構成されたＲＬＭ−ＲＳリソースは、異なるタイプのものである可能性があり、したがって、全く異なる構成を有することが予想される。例えば、第１のタイプの構成済みＲＬＭ−ＲＳリソースはＳＳＢであってもよく、第２のタイプの構成済みＲＬＭ−ＲＳリソースはＣＳＩ−ＲＳであってもよい。さらに、または代替的に、構成されたＲＬＭ−ＲＳリソースは、同じタイプであっても異なる構成を有してもよく、例えば、あるビームおよび／またはシステム帯域幅のある部分で送信されたＣＳＩ−ＲＳは、他のビームおよび／またはシステム帯域幅の他の部分で送信されたＣＳＩ−ＲＳと比較して、異なる構成（例えば、周期性、時間および／または周波数の密度、帯域幅、送信電力またはブースティング）を有してもよい。さらに、異なるＲＬＭ−ＲＳリソースに関連付けられた異なる仮定のチャネルまたは信号構成が存在してもよい。そのようなシナリオでは、ＮＲにおけるＲＬＭ評価期間をどのように定義するかが不明瞭である場合がある。
【００７７】
本開示の特定の側面およびその実施形態は、これらまたは他の課題に対する解決策を提供し得る。本開示の特定の実施形態は、ＵＥのための方法およびネットワークノードのための方法を含む。
【００７８】
一実施形態では、ＵＥが複数のＲＬＭ−ＲＳリソースで構成されている場合、共通の評価期間が、サブセットまたはすべての構成されたＲＬＭ−ＲＳリソースについて決定される。さらなる実施形態では、共通の評価期間は、サブセットまたはすべての構成されたＲＬＭ−ＲＳリソースのための評価期間の同じ長さで構成されてもよいが、必ずしも同じ開始点の評価期間ではない。他の実施形態では、共通の評価期間は、サブセットまたはすべての構成されたＲＬＭ−ＲＳリソースについて、同じ長さと同じ開始点の評価期間で構成されてもよい。共通の評価期間は、固定値であってもよいし、関数に基づいて決定されてもよい。
【００７９】
一例では、１つ以上の評価期間は、ネットワークノードによって決定され、決定された評価期間を用いてＵＥを構成する。さらなる例では、ネットワークノードは、共通の評価期間を使用することを示してもよく、後述する関数Ｆ（）に基づいて得られる特定の値（例えば、ｍｓ単位の合計時間）を構成してもよい。
【００８０】
他の例では、ＵＥは、（例えば、予め定義された規則または関数Ｆ（）および／またはネットワークノードから受信したメッセージに基づいて）１つまたは複数の評価期間を決定し、ＲＬＭ中の無線リンク品質を評価しながらそれらを使用する。
【００８１】
さらなる例では、共通の評価期間は、ネットワークノードによって異なるように構成されていない限り、デフォルトの評価期間である。
【００８２】
本明細書では、ＵＥのためのシステムおよび方法、ならびにネットワークノードのためのシステムおよび方法が記載されている。
【００８３】
一実施形態では、ＵＥが複数のＲＬＭ−ＲＳリソースで構成されている場合、共通の評価期間は、サブセットまたはすべての構成されたＲＬＭ−ＲＳリソースについて決定される。さらなる実施形態では、共通の評価期間は、サブセットまたはすべての構成されたＲＬＭ−ＲＳリソースについて同じ長さの評価期間を構成してもよいが、必ずしも同じ開始点の評価期間である必要はない。他の実施形態では、共通の評価期間は、サブセットまたはすべての構成されたＲＬＭ−ＲＳリソースについて、同じ長さと同じ開始点の評価期間で構成されてもよい。共通評価期間は、固定値であってもよいし、関数に基づいて決定されてもよい。
【００８４】
１つの例では、１つ以上の評価期間がネットワークノードによって決定され、ネットワークノードは決定された評価期間を使用してＵＥを構成する。さらなる例では、ネットワークノードは、共通の評価期間を使用することを示してもよく、後述する関数Ｆ（）に基づいて得られる特定の値（例えば、ｍｓ単位の合計時間）を構成してもよい。
【００８５】
他の例では、ＵＥは、（例えば、予め定義された規則または関数Ｆ（）および／またはネットワークノードから受信したメッセージに基づいて）１つまたは複数の評価期間を決定し、ＲＬＭ中の無線リンク品質を評価しながらそれらを使用する。
【００８６】
さらなる例では、共通の評価期間は、ネットワークノードによって異なるように構成されていない限り、デフォルトの評価期間である。
【００８７】
特定の実施形態は、とりわけ、評価期間がすべてのＲＬＭ−ＲＳリソースのために異なる場合に困難であるかもしれない、より低いＵＥの複雑さ、十分に指定されたＵＥの動作、および／またはＲＬＭの表示（同期中および同期外）を処理するためのより低い複雑さを提供するかもしれない。
【００８８】
図８は、本明細書に記載されるような様々な側面に従った、評価期間を構成するためのシステム８００の一実施形態を示す。図８において、システム８００は、ネットワークノード８０１（例えば、基地局、ｇＮＢ）および無線デバイス８１１（例えば、ＵＥ）を含んでもよい。一実施形態では、ネットワークノード８０１は、セル８０３に関連付けられていてもよい。一実施形態では、セル８０３は、基地局のセクタ内のキャリアである。ネットワークノード８０１は、評価期間８２１に対応するネットワークノード８０１によって送信される参照信号リソース（例えば、ＲＬＭ−ＲＳリソース）のセット８２３内の参照信号（ＲＳ）リソースの少なくとも一部分を決定してもよい。さらに、セット８２３内の参照信号リソースの少なくとも１つは、セット８２３内の参照信号リソースの他のものとは異なるタイプ（例えば、ＳＳ／ＰＢＣＨブロック、ＣＳＩ−ＲＳリソース／ポート）または構成（例えば、周期性、時間または周波数の密度、帯域幅、送信電力またはブースティング）のものであり、セット８２３内の参照信号リソースの少なくとも１つは、セット８２３内の参照信号リソースの他のものとは異なるタイプのものである。図８では、セット８２３は、異なるタイプまたは構成を有する第１および第２の参照信号リソースを有するものとして示されている。ネットワークノード８０１は、セット８２３内の参照信号リソースの決定された一部分に共通する評価期間８２１を決定する。さらに、ネットワークノード８０１は、無線デバイス８１１が、決定された評価期間８２１の間に送信されるセット８２３内の参照信号リソースの一部分のチャネル品質を監視するために動作可能であるように、決定された評価期間８２１を構成する。また、ネットワークノード８０１は、評価期間８２１に関連する無線デバイス８１１の少なくとも１つの時間またはカウンタを構成してもよい。
【００８９】
一実施形態では、無線デバイス８１１は、評価期間８２１に対応するネットワークノード８０１によって送信される参照信号リソースのセット８２３内の参照信号リソースの少なくとも一部分を決定してもよい。さらに、セット８２３内の参照信号リソースのうちの少なくとも１つは、セット８２３内の参照信号リソースのうちの他の参照信号リソースとは異なるタイプまたは構成である。無線デバイス８１１は、セット８２３内の参照信号リソースの決定された一部分に共通する評価期間８２１を決定する。また、無線デバイス８１１１は、決定された評価期間８２１の間に受信されたセット８２３内の参照信号リソースの一部分のチャネル品質を監視する。そして、無線デバイス８１１１は、このチャネル品質情報に基づいて、無線デバイス８１１がネットワークノード８０１と同期しているか、同期していないかを判断してもよい。
【００９０】
図８において、ネットワークノード８０１は、ＬＴＥ、ＵＭＴＳ、ＧＳＭ、ＮＢ−ＩｏＴ、５Ｇニューラジオ（ＮＲ）などの１つ以上の通信システム、またはそれらの任意の組み合わせをサポートするように構成されてもよい。さらに、ネットワークノード８０１は、基地局、アクセスポイント、またはそのようなものであってもよい。また、ネットワークノード８０１は、無線デバイス８１１にサービスを提供してもよい。無線デバイス８１１は、ＬＴＥ、ＵＭＴＳ、ＧＳＭ、ＮＢ−ＩｏＴ、５Ｇ＿ＮＲなどの１つ以上の通信システム、またはそれらの任意の組み合わせをサポートするように構成されていてもよい。
【００９１】
本明細書に記載された装置は、任意の機能的手段、モジュール、ユニット、または回路を実装することにより、本明細書に記載された方法および任意の他の処理を実行してもよいことに留意されたい。一実施形態では、例えば、装置は、方法の図に示されたステップを実行するように構成されたそれぞれの回路または回路を構成する。この点での回路または回路は、特定の機能的処理を実行するために専用の回路、および／またはメモリと連動した１つ以上のマイクロプロセッサを構成してもよい。例えば、回路は、１つ以上のマイクロプロセッサまたはマイクロコントローラ、およびデジタル信号プロセッサ（ＤＳＰ）、特定用途デジタルロジックなどを含む他のデジタルハードウェアを含んでもよい。処理回路は、メモリに記憶されたプログラムコードを実行するように構成されていてもよく、このメモリは、リードオンリーメモリ（ＲＯＭ）、ランダムアクセスメモリ、キャッシュメモリ、フラッシュメモリ装置、光記憶装置などの１種類または複数種類のメモリを含んでいてもよい。メモリに記憶されたプログラムコードは、いくつかの実施形態において、本明細書に記載された技術のうちの１つまたは複数の技術を実行するための命令と同様に、１つまたは複数の電気通信プロトコルおよび／またはデータ通信プロトコルを実行するためのプログラム命令を含んでもよい。メモリを採用する実施形態では、メモリは、１つ以上のプロセッサによって実行されると本明細書に記載された技術を実行するプログラムコードを記憶する。
【００９２】
例えば、図９は、本明細書に記載された様々な実施形態に従った無線デバイス８１１の一実施形態を示す。示されているように、無線デバイス８１１は、処理回路９１０および通信回路９２０を含む。通信回路９２０（例えば、無線回路）は、任意の通信技術を介して、例えば、１つ以上の他のノードに、および／または他のノードから情報を送信および／または受信するように構成される。そのような通信は、無線デバイス８１１の内部または外部のいずれかである１つ以上のアンテナを介して行われてもよい。処理回路９１０は、メモリ９３０に記憶された命令を実行するなど、本明細書に記載された処理を実行するように構成されている。この点での処理回路９１０は、特定の機能的手段、ユニット、またはモジュールを実装してもよい。
【００９３】
図１０は、本明細書に記載された様々な実施形態（例えば、図８および図１６に示された無線ネットワーク）に従った無線ネットワークにおける無線デバイス８１１の一実施形態の概略ブロック図である。示されているように、無線デバイス８１１は、様々な機能的手段、ユニット、またはモジュールを、例えば、図９の処理回路９１０を介して、および／またはソフトウェアコードを介して実装する。一実施形態では、これらの機能的な手段、ユニット、またはモジュールは、本明細書の方法（複数可）を実施するために、例えば、評価期間を使用するかどうかの指示を受信するための受信ユニット１０１１と、評価期間に対応するネットワークノード８０１によって送信される参照信号リソースのセット８２３内の参照信号リソースの少なくとも一部分を決定するためのリソース決定ユニット１０１３と、セット８２３内の参照信号リソースの決定された一部分に共通する評価期間を決定するための評価期間決定ユニット１０１５と、決定された評価期間中に受信されるセット８２３内の参照信号リソースの一部分のチャネル品質を監視するための監視ユニット１０１７と、評価期間中に受信されるセット８２３内の参照信号リソースの一部分のチャネル品質に基づいて、無線デバイス８１１がネットワークノード８０１と同期中または同期外であるかどうかを決定するための同期中または同期外決定ユニット１０１９と、を含むことができる。
【００９４】
図１１および図２５は、本開示の特定の実施形態に従った、評価期間を構成するために無線デバイス８１１によって実行される方法１１００、２５００の例を示す。
【００９５】
図１１に示すように、方法１１００は、セット８２３（ブロック１１０７）内の参照信号リソースの一部分に共通する評価期間８２１を決定することを含む。方法はさらに、決定された評価期間８２１の間に受信されたセット８２３内の参照信号リソースの一部分のチャネル品質を監視することを含む（ブロック１１０９）。
【００９６】
いくつかの実施形態では、方法１１００はさらに、無線デバイス８１１が、ネットワークノード８０１から、評価期間８２１を使用するかどうかの指示を受信することを含む（ブロック１１０１）。いくつかの実施形態では、方法１１００はさらに、ネットワークノード８０１から、評価期間８２１を決定するために使用されるパラメータの値を受信することを含む（ブロック１１０３）。いくつかの実施形態では、方法１１００はさらに、評価期間に対応するネットワークノード８０１によって送信される参照信号リソースのセット８２３内の参照信号リソースの少なくとも一部分を決定することを含み、セット８２３内の参照信号リソースの少なくとも１つは、セット８２３内の参照信号リソースの他のものとは異なるタイプまたは構成のものである（ブロック１１０５）。
【００９７】
いくつかの実施形態では、方法１１００は、評価期間８２１の間に受信されたセット８２３内の参照信号リソースの一部分のチャネル品質に基づいて、無線デバイス８１１がネットワークノード８０１と同期しているか、または同期していないかを決定することをさらに含む（ブロック１１１１）。
【００９８】
図２５に示すように、方法２５００は、ネットワークノード８０１によって送信されるセット８２３内の参照信号リソースの少なくとも一部分に共通する評価期間８２１を決定することを含み、セット８２３内の参照信号リソースの少なくとも１つは、セット８２３内の参照信号リソースの他のものとは異なるタイプまたは構成のものである（ブロック２５１０）。方法２５００はさらに、決定された評価期間８２１の間に受信されたセット８２３内の参照信号リソースの一部分のチャネル品質を監視することを含む（ブロック２５２０）。
【００９９】
図１２は、本明細書に記載された様々な実施形態に従って実施されるネットワークノード８０１を示す。図示されているように、ネットワークノード８０１は、処理回路１２１０および通信回路１２２０を含む。通信回路１２２０は、例えば任意の通信技術を介して、１つ以上の他のノードに、および／または他のノードから情報を送信および／または受信するように構成される。処理回路１２１０は、メモリ１２３０に記憶された命令を実行するなど、上述した処理を実行するように構成されている。この点での処理回路１２１０は、特定の機能的手段、ユニット、またはモジュールを実装してもよい。
【０１００】
図１３は、本明細書に記載された様々な実施形態に従った無線ネットワークにおけるネットワークノード８０１の一実施形態の概略ブロック図である（例えば、図８および図１６に示されたネットワークノード８０１）。示されているように、ネットワークノード８０１は、様々な機能的手段、ユニット、またはモジュールを、例えば、図１２の処理回路１２１０を介して、および／またはソフトウェアコードを介して実装する。一実施形態では、これらの機能的手段、ユニット、またはモジュールは、本明細書の方法（複数可）を実施するために、例えば、評価期間に対応するネットワークノード８０１によって送信される参照信号リソースのセット８２３内の参照信号リソースの少なくとも一部分を決定するためのリソース決定ユニット１３１１と、セット８２３内の参照信号リソースの決定された一部分に共通する評価期間を決定するための評価期間決定ユニット１０１３と、無線デバイス８１１が、決定された評価期間中に送信されるセット８２３内の参照信号リソースの一部分のチャネル品質を監視するように動作可能であるように、決定された評価期間を構成するための評価期間構成ユニット１０１５と、評価期間を使用するかどうかの指示を送信するための送信ユニット１０１７と、評価期間に関連する無線デバイス８１１の少なくとも１つのタイマまたはカウンタを構成するためのタイマ／カウンタ構成ユニット１０１９と、を含むことができる。
【０１０１】
図１４および図２６は、本開示の特定の実施形態に従った、評価期間８２１を構成するためにネットワークノード８０１によって実行される例示的な方法１４００，２６００を示す。
【０１０２】
図１４に示すように、方法１４００は、セット８２３（ブロック１４０３）内の参照信号リソースの一部分に共通する評価期間８２１を決定することを含む。方法はさらに、無線デバイス８１１が、決定された評価期間８２１の間に送信されるセット８２３内の参照信号リソースの一部分のチャネル品質を監視するために動作可能であるように、決定された評価期間８２１を構成することを含む（ブロック１４０５）。
【０１０３】
いくつかの実施形態では、方法１４００はさらに、ネットワークノード８０１において、評価期間８２１に対応するネットワークノード８０１によって送信される参照信号リソースのセット８２３内の参照信号リソースの少なくとも一部分を決定することを含み、セット８２３内の参照信号リソースの少なくとも１つは、セット８２３内の参照信号リソースの他の参照信号リソースとは異なるタイプまたは構成である（ブロック１４０１）。
【０１０４】
いくつかの実施形態では、方法１４００は、評価期間８２１を使用するかどうかの指示を無線デバイス８１１に送信することをさらに含む（ブロック１４０７）。いくつかの実施形態では、方法１４００はさらに、評価期間８２１を無線デバイス８１１に送信することを含む（ブロック１４０９）。いくつかの実施形態では、方法１４００は、評価期間８２１を決定するために使用されるパラメータの値を、無線デバイス８１１に送信することをさらに含む（ブロック１４０１１）。いくつかの実施形態では、方法１４００はさらに、評価期間８２１に関連する無線デバイス８１１の少なくとも１つのタイマまたはカウンタを構成することを含む（ブロック１４１３）。
【０１０５】
図２６に示すように、方法２６００は、ネットワークノード８０１によって送信される参照信号リソースのセット８２３内の参照信号リソースの少なくとも一部分に共通する評価期間８２１を決定することを含み、セット８２３内の参照信号リソースの少なくとも１つは、セット８２３内の参照信号リソースの他のタイプまたは構成とは異なるタイプまたは構成である（ブロック２６１０）。方法２６００はさらに、無線デバイス８１１が、決定された評価期間８２１の間に送信されるセット８２３内の参照信号リソースの一部分のチャネル品質を監視するために動作可能であるように、決定された評価期間８２１を構成することを含む（ブロック２６２０）。
【０１０６】
当業者は、本明細書の実施形態が、対応するコンピュータプログラムをさらに含むことも理解するであろう。
【０１０７】
コンピュータプログラムは、装置の少なくとも１つのプロセッサ上で実行されると、装置に上述の各処理のいずれかを実行させる命令を含む。この点でのコンピュータプログラムは、上述の手段またはユニットに対応する１つ以上のコードモジュールを含んでいてもよい。
【０１０８】
実施形態はさらに、そのようなコンピュータプログラムを含む担持体を含む。この担持体は、電子信号、光信号、無線信号、またはコンピュータ可読記憶媒体のうちの１つを含んでもよい。
【０１０９】
これに関して、本明細書の実施形態はまた、非一時的コンピュータ可読（記憶または記録）媒体に記憶されたコンピュータプログラム製品を含み、装置のプロセッサによって実行されると、装置を上記のように実行させる命令を構成する。
【０１１０】
実施形態はさらに、コンピュータプログラム製品がコンピューティングデバイスによって実行されるときに、本明細書の実施形態のいずれかのステップを実行するためのプログラムコード部分を含むコンピュータプログラム製品を含む。このコンピュータプログラム製品は、コンピュータ読み取り可能な記録媒体に格納されていてもよい。
【０１１１】
追加の実施形態を次に説明する。これらの実施形態の少なくともいくつかは、例示目的のために、特定の文脈および／または無線ネットワークタイプにおいて適用可能であるように記載されてもよいが、実施形態は、明示的に記載されていない他の文脈および／または無線ネットワークタイプにおいても同様に適用可能である。
【０１１２】
いくつかの実施形態では、非限定的な用語「ＵＥ」が使用される。一実施例では、ＵＥは、無線信号を介してネットワークノード８０１または他のＵＥと通信することができる任意のタイプの無線デバイス８１１であってもよい。ＵＥはまた、無線通信デバイス、ターゲットデバイス、デバイス間通信（Ｄ２Ｄ）ＵＥ、マシンタイプＵＥまたはマシン間通信（Ｍ２Ｍ）が可能なＵＥ、ＵＥを搭載したセンサ、タブレットコンピュータ、モバイル端末、スマートフォン、ラップトップ組み込み機器（ＬＥＥ）、ラップトップ搭載機器（ＬＭＥ）、ＵＳＢドングル、カスタマープレミス装置（ＣＰＥ）などであってもよい。
【０１１３】
また、いくつかの実施形態では、非限定的な用語「ネットワークノード」８０１が使用される。一実施例では、ネットワークノード８０１は、基地局、無線基地局、基地送受信局、基地局コントローラ、ネットワークコントローラなどの無線ネットワークノードで構成されてもよい任意の種類のネットワークノード８０１であってもよい。マルチスタンダード無線ＢＳ、ｇＮＢ、ｅｎ−ｇＮＢ、ｎｇ−ｅＮＢ、ＮＲ＿ＢＳ、進化型ノードＢ（ｅＮＢ）、ノードＢ、マルチセル／マルチキャストコーディネーションエンティティ（ＭＣＥ）、中継ノード、アクセスポイント、無線アクセスポイント、リモート無線ユニット（ＲＲＵ）、リモート無線ヘッド（ＲＲＨ）、マルチスタンダードＢＳ（ＭＳＲ＿ＢＳとしても知られる）、コアネットワークノード（例えば、ＭＭＥ、ＳＯＮノード、調整ノード、測位ノード、ＭＤＴノードなど）、さらには外部ノード（例えば、サードパーティノード、現在のネットワークの外部ノード）などであってもよい。また、ネットワークノード８０１は、試験装置を構成してもよい。
【０１１４】
用語「ＢＳ」は、例えば、ｇＮＢ、ｅｎ−ｇＮＢ、またはｎｇ−ｅＮＢ、または中継ノード、または実施形態に準拠した任意のＢＳで構成されてもよい。
【０１１５】
用語「無線ノード」は、ＵＥまたは無線ネットワークノードを表すために使用されてもよい。
【０１１６】
用語「シグナリング」は、上位レイヤシグナリング（例えば、ＲＲＣなどを介して）、下位レイヤシグナリング（例えば、物理制御チャネルまたはブロードキャストチャネルを介して）、またはそれらの組み合わせのいずれかで構成されていてもよい。シグナリングは、暗黙的であっても、明示的であってもよい。シグナリングは、さらに、ユニキャスト、マルチキャスト、またはブロードキャストであってもよい。シグナリングは、他のノードに直接、または第３のノードを介してもよい。
【０１１７】
ＲＬＭ手順という用語は、ＲＬＭ中にＵＥによって行われる任意のプロセスまたはアクションを指してもよい。そのようなプロセスまたはアクションの例は、ＯＯＳ評価、ＩＳ評価、ＩＳ／ＯＯＳのフィルタリング（例えば、カウンタの開始）、ＲＬＦのトリガ、ＲＬＦタイマの開始または満了などである。
【０１１８】
ＲＬＭパフォーマンスという用語は、無線ノードによって実行されるＲＬＭのパフォーマンスを特徴付ける任意の基準またはメトリックを参照してもよい。ＲＬＭパフォーマンス基準の例としては、ＩＳ／ＯＯＳが検出された評価期間、ＵＥ送信機がＲＬＦタイマの満了時にオフにされる期間などがある。
【０１１９】
ヌメロロジーという用語は、サブキャリア間隔、帯域幅内のサブキャリア数、リソースブロックサイズ、シンボル長、ＣＰ長などの任意の１つまたは組み合わせで構成されていてもよい。特定の非限定的な例では、ヌメロロジーは、７．５ｋＨｚ、１５ｋＨｚ、３０ｋＨｚ、６０ｋＨｚ、１２０ｋＨｚ、または２４０ｋＨｚのサブキャリア間隔を含む。他の例では、ヌメロロジーは、３０ｋＨｚ以上のサブキャリア間隔で使用されてもよいＣＰ長である。
【０１２０】
ＳＳ／ＰＢＣＨブロックの時間周波数構造に関して、時間領域では、ＳＳ／ＰＢＣＨブロックは、０から３までの順に番号が付けられた４つのＯＦＤＭシンボルで構成され、周波数領域では、ＳＳ／ＰＢＣＨブロックは、０から２８７までの順に番号が付けられたサブキャリアを有する２４個の連続したリソースブロックで構成され、最も番号の低いリソースブロックから始まる。
【０１２１】
ＵＥは、一次同期信号を構成するシンボル列ｄPSS（０），．．．，ｄPSS（１２６）を、３ＧＰＰ仕様ＴＳ３８．２１３で規定されているＰＳＳ電力割り当てに適合するように係数βSSでスケーリングされたものと仮定し、ｋの増加順にリソース要素（ｋ，ｌ）p,μにマッピングし、ここでｋ及びｌは下記表１で与えられ、１つのＳＳ／ＰＢＣＨブロック内の周波数と時間のインデックスをそれぞれ表す。
【０１２２】
ＵＥは、二次同期信号を構成するシンボル列ｄSSS（０），．．．，ｄSSS（１２６）を、３ＧＰＰ仕様ＴＳ３８．２１３で規定されているＰＳＳ電力割り当てに適合するように係数βSSでスケーリングされたものと仮定し、ｋの増加順にリソース要素（ｋ，ｌ）p,μにマッピングし、ここでｋ及びｌは下記表１で与えられ、１つのＳＳ／ＰＢＣＨブロック内の周波数と時間のインデックスをそれぞれ表す。
【０１２３】
ＵＥは、物理ブロードキャストチャネルを構成する複素数値シンボル列ｄPBCH（０），．．．，ｄPBCH（Ｍsymb−１）を、３ＧＰＰ仕様ＴＳ３８．２１３で規定されているＰＢＣＨ電力割り当てに適合するように係数βPBCHでスケーリングし、ｄPBCH（０）から順にＰＢＣＨ復調参照信号に使用されないリソース要素（ｋ，ｌ）p,μにマッピングされたものと仮定してもよい。
【０１２４】
他の目的のために予約されていないリソース要素（ｋ，ｌ）p,μへのマッピングは、最初にインデックスｋ、次にインデックスｌの順であってもよく、ここで、ｋおよびｌは、それぞれ１つのＳＳ／ＰＢＣＨブロック内の周波数および時間のインデックスを表し、表１によって与えられる。
【０１２５】
ＵＥは、ＳＳ／ＰＢＣＨブロックのシンボル内ｌの物理ブロードキャストチャネルの復調参照信号を構成する複素数値シンボル列ｒl（０），．．．，ｒl（７１）を、３ＧＰＰ仕様ＴＳ３８．２１３で規定されているＰＢＣＨ電力割り当てに適合するように係数βPBCHでスケーリングし、ｋの増加順にリソース要素（ｋ，ｌ）p,μにマッピングし、ここでｋ及びｌは下記表１で与えられ、１つのＳＳ／ＰＢＣＨブロック内の周波数と時間のインデックスをそれぞれ表す。
【０１２６】
ＳＳ／ＰＢＣＨブロックでは、ＵＥは、アンテナポートｐ＝４０００、サブキャリア間隔の構成μ∈｛０，１，３，４｝、およびＰＳＳ、ＳＳＳ、ＰＢＣＨのサイクリックプレフィックス長とサブキャリア間隔が同じであることを前提とすることができる。
【０１２７】
【表１】
2021503738.tif 000003
【０１２８】
ＳＳ／ＰＢＣＨブロックの時間位置に関して、ＵＥが可能性のあるＳＳ／ＰＢＣＨブロックを監視する時間領域内の位置は、３ＧＰＰ標準ＴＳ３８．２１３の４．１節に記載されている。
【０１２９】
制御リソースセット（ＣＯＲＥＳＥＴ）は、周波数領域のＮCORESETRB個のリソースブロックと、時間領域のＮCORESETsymb∈｛１，２，３｝個のシンボルから構成され、ＮCORESETsymb＝３はＮmax,μRB,DL≦Ｘのみによりサポートされる。
【０１３０】
制御チャネル要素は、６個のリソース−要素グループ（ＲＥＧ）から構成されていてもよく、リソース−要素グループは１つのリソースブロックに等しい。制御リソースセット内のリソース−要素グループは、時間を優先する方法で増加順で番号が付けられてもよく、最初のＯＦＤＭシンボルと制御リソースセット内の最も番号の低いリソースブロックに対して０から始まる。
【０１３１】
ＵＥは、複数の制御リソースセットで構成されてもよい。各制御リソースセットは、特定の実施形態によれば、１つのチャネル制御要素（ＣＣＥ）−リソース要素グループ（ＲＥＧ）マッピングのみに関連付けられてもよい。
【０１３２】
制御リソースセットに対するＣＣＥからＲＥＧへのマッピングは、様々な実施形態に応じて、インターリーブされていてもよいし、非インターリーブてあってもよい。いくつかの実施形態では、ＣＣＥからＲＥＧへのマッピングは、特定のＲＥＧバンドルによって記述されてもよい。例えば、ＲＥＧバンドルｉは、ＬをＲＥＧバンドルのサイズとしたときＲＥＧｓ｛ｉ，ｉ＋１，．．．，ｉ＋Ｌ−１｝と定義されてもよい。ＣＣＥｊは、ｆ（・）をインタリーバとしたときＲＥＧバンドル｛ｆ（ｊ），ｆ（ｊ＋１），．．．，ｆ（ｊ＋６／Ｌ−１）｝から構成されてもよい。
【０１３３】
非インターリーブのＣＣＥからＲＥＧへのマッピングの一例は、Ｌ＝６およびｆ（ｉ）＝ｉである。
【０１３４】
インターリーブのＣＣＥからＲＥＧへのマッピングの一例は、ＮCORESETsymb＝１に対してＬ∈｛２，６｝であり、ＮCORESETsymb∈｛２，３｝に対してＬ∈｛ＮCORSETsymb，６｝である。
【０１３５】
ＵＥは、特定の実施形態では、ＲＥＧバンドル全体で使用されている同じプリコーディングを想定してもよい。
【０１３６】
特定の実施形態では、ＵＥのための方法、およびネットワークノード８０１（例えば、ＬＴＥ＿ＰＣｅｌｌ、ＮＲ＿ＰＣｅｌｌ、および／またはＮＲ＿ＰＳＣｅｌｌであってもよいサービングＢＳ）のための方法が含まれる。
【０１３７】
一実施形態では、ＵＥが複数のＲＬＭ−ＲＳリソースで構成されている場合、共通の評価期間が、サブセットまたはすべての構成されたＲＬＭ−ＲＳリソースについて決定される。さらなる実施形態では、共通の評価期間は、サブセットまたはすべての構成されたＲＬＭ−ＲＳリソースについて同じ長さの評価期間を構成してもよいが、必ずしも同じ開始時の評価期間である必要はない。他の実施形態では、共通の評価期間は、サブセットまたはすべての構成されたＲＬＭ−ＲＳリソースについて、同じ長さと同じ開始点の評価期間で構成されてもよい。評価期間の例としては、同期中評価期間と同期外評価期間がある。同期中評価期間と同期外評価期間は、同じＲＬＭ−ＲＳリソースであっても、同じであってもそうでなくてもよい。共通の評価期間は、固定の（例えば、予め定義された）値（少なくとも非ＤＲＸおよびギャップなしの場合）であってもよいし、関数に基づいて決定されてもよい。
【０１３８】
一つの例では、１つ以上の評価期間は、ネットワークノード８０１によって決定され、決定された評価期間を用いてＵＥを構成する。さらなる例では、ネットワークノード８０１は、共通の評価期間を使用することを示してもよく、後述する関数Ｆ（）に基づいて得られる特定の値（例えば、ｍｓ単位の合計時間）を構成してもよい。
【０１３９】
他の例では、ＵＥは、（例えば、予め定義された規則または関数Ｆ（）および／またはネットワークノード８０１から受信したメッセージに基づいて）１つまたは複数の評価期間を決定し、ＲＬＭ中の無線リンク品質を評価しながらそれらを使用する。
【０１４０】
さらなる例では、共通の評価期間は、ネットワークノード８０１によって異なるように構成されていない限り、デフォルトの評価期間である。
【０１４１】
さらなる実施形態では、ＳＳ／ＰＢＣＨブロックを含むかまたはＳＳ／ＰＢＣＨブロックに関連付けられている構成されたＲＬＭ−ＲＳは、実際に送信されたＳＳ／ＰＢＣＨブロックを含むかまたは関連付けられたリソースのセット（例えば、ＲＲＣを介してＵＥに示される）にさらに含まれ、実際に送信されたＳＳ／ＰＢＣＨブロックのセットに含まれていないＳＳ／ＰＢＣＨブロックを含むかまたは関連付けられたリソースを含まない。
【０１４２】
ＲＬＭ−ＲＳに適用される共通の評価期間は、以下のうちの１つ以上により特徴付けられる：
・サービングセルに対して構成された任意の２つ以上のＲＬＭ−ＲＳリソース
・同じＲＬＭ−ＲＳリソースタイプ（ＳＳ／ＰＢＣＨブロックやＣＳＩ−ＲＳなど）を持つが、異なるＲＬＭ−ＲＳリソースタイプでは異なる可能性がある
・ＲＬＭ−ＲＳリソースおよび／または対応する仮想制御チャネル構成に関連付けられた同じヌメロロジー（例えば、サブキャリア間隔および／またはＣＰ長）を有する
・同じ周波数範囲で構成されている（例えば、ＦＲ１またはＦＲ２では、共通の評価期間は異なる場合があるが、同じ周波数範囲内では同じになる）
・ＲＬＭ−ＲＳリソースが周期的ＲＬＭに使用されるか非周期的ＲＬＭに使用されるか、例えば、周期的ＲＬＭには共通評価期間が適用されるが非周期的ＲＬＭには共通評価期間が適用されるか、非周期的ＲＬＭには共通評価期間が適用されるが周期的ＲＬＭには適用されないか、または、周期的ＲＬＭと非周期的ＲＬＭのそれぞれに共通評価期間が適用されるが、共通評価期間が２種類のＲＬＭで異なり得る
・ＲＬＭ−ＲＳリソースは、同じセルに関連付けられている（例えば、ＮＲ＿ＰＣｅｌｌおよびＮＲ＿ＰＳＣｅｌｌのような異なるセルまたはセルタイプは、異なる共通の評価期間を有することができる）
・ネットワークノード８０１が共通の評価期間が適用されることを示したＲＬＭ−ＲＳリソースのセットに含まれるＲＬＭ−ＲＳリソースかどうか（このセットに含まれない他の構成のＲＬＭ−ＲＳリソースについては、他の評価期間が適用される可能性がある）
・同じキャリア周波数に関連付けられたＲＬＭ−ＲＳリソース（例えば、同じ中心周波数および／または同じ帯域幅を有する参照信号から構成される）
・同じ仮想制御チャネル（例えば、ＰＤＣＣＨ）構成に基づいて無線リンク品質評価に使用される任意の２つのＲＬＭ−ＲＳリソース、ここで、仮想制御チャネル構成は、標準で事前に定義され、および／またはネットワークノード８０１によって構成され、実際の制御チャネルと同じ構成を有していてもよいし、有していなくてもよい（実際には、実際の制御チャネルは、仮想制御チャネル品質が評価されるリソース内で送信されていない場合さえある）
・同じＣＯＲＥＳＥＴタイプ（ＣＯＲＥＳＥＴは３８．２１１に規定されているように規定することができる）に関連付けられた仮想の制御チャネル（例えば、ＰＤＣＣＨ）構成に基づいて、無線リンク品質評価に使用される任意の２つのＲＬＭ−ＲＳリソース（ＣＯＲＥＳＥＴタイプの例：システム情報又はＯＳＩ＿ＣＯＲＥＳＥＴ、ランダムアクセス又はＲＡＲ用ＣＯＲＥＳＥＴ、ページング用ＣＯＲＥＳＥＴ、ＲＭＳＩ＿ＣＯＲＥＳＥＴなど）
・同じ測定ギャップで評価できる、または同じ測定ギャップパターンに基づいて評価できる任意の２つのＲＬＭ−ＲＳリソース
【０１４３】
本開示の特定の実施形態によれば、本明細書に記載の実施形態を実施するＵＥは、以下のステップを実行し得る：
・ステップ１：共通のＲＬＭ評価期間が適用される２つ以上のＲＬＭ−ＲＳリソースを決定する。
・ステップ２：共通の評価期間を決定する。
・ステップ３：決定された評価期間に基づいてＲＬＭを実行する。
いくつかの実施形態では、ＵＥは、以下のさらなるステップをさらに実行し得る：
・ステップ４：共通の評価期間に基づいて、ＲＬＭ（例えば、同期中または同期外）指示機会またはＲＬＭ指示間隔を決定する。（例えば、指示機会は、評価期間の終わりにあり得、それ故に評価期間の構成に依存する；指示周期性または間隔は、共通の評価期間と同じであるか、または共通の評価期間より長くないように定義することができる。）
【０１４４】
本明細書に記載された実施形態を実施するネットワークノード８０１は、少なくとも以下のステップを実行し得る：
・ステップ１（いくつかの実施形態ではオプション）：共通のＲＬＭ評価期間がＵＥに適用される２つ以上のＲＬＭ−ＲＳリソースを決定する。
・ステップ２：共通の評価期間を決定する。
・ステップ３：共通の評価期間を構成する。（例えば、ステップ１が使用された場合は、決定された２つ以上のＲＬＭ−ＲＳリソースについて、そうでない場合はすべての設定されたＲＬＭ−ＲＳリソースについて）
・ステップ４（いくつかの実施形態ではオプション）：共通の評価期間を考慮しながら、少なくとも１つのＲＬＭ／ＲＬＦ関連タイマまたはカウンタ（例えば、Ｔ３１０、Ｔ３１１、Ｔ３１３、またはＮ３１０のような）をＵＥに構成する。（例えば、タイマは、共通評価期間が全く使用されるかどうかに依存してもよいし、その長さに依存してもよい）
【０１４５】
共通のＲＬＭ評価期間が適用される２つ以上のＲＬＭ−ＲＳリソースについては、共通の評価期間は、以下の実施例によって説明される１つ以上の原則に基づいて決定されてもよい。例えば、評価期間は、Ｎ個のＲＬＭ−ＲＳリソースの少なくとも１つの構成パラメータの種類（例えば、周期性Ｔ、帯域幅ＢＷ、密度Ｄ、ＲＬＭ−ＲＳが構成される周波数範囲ＦＲ、ＲＬＭ−ＲＳ信号を含むＲＬＭ−ＲＳ機会のサンプル数Ｎ、可能な最短の評価期間ｔｍｉｎ、ＤＲＸサイクル長などの不連続受信構成ｄｒｘＣｏｎｆ、測定ギャップ周期性および／または測定ギャップ長などのギャップ構成ｇａｐＣｏｎｆ、ＳＭＴＣがＳＳブロック（別名ＳＳ／ＰＢＣＨブロック）に基づくＲＲＭ測定のための周期的に発生するウィンドウで構成されるＲＲＭ測定タイミング構成のＳＭＴＣ期間Ｔｓｍｔｃ）の関数Ｆ（Ｔ１，．．．，ＴＮ，ＢＷ１，．．．，ＢＷＮ，Ｄ１，．．．，ＤＮ，ＦＲ，Ｎ１，．．．，ＮＮ，ｔｍｉｎ，ｄｒｘＣｏｎｆ，ｇａｐＣｏｎｆ，Ｔｓｍｔｃ）として決定されてもよい。例えば、
・Ｆ（）＝Ｆ（ｍａｘ（Ｔ１，．．．，ＴＮ））は、最長の周期性の関数である。
・Ｆ（）＝Ｆ（ｍａｘ（Ｔ１，．．．，ＴＮ），ｍａｘ（ＢＷ１，．．．，ＢＷＮ））は、最長の周期性および最大の帯域幅の関数である。
・Ｆ（）＝ｍａｘ（ｆ（Ｔ１，ＢＷ１，Ｄ１，ＦＲ，Ｎ１，ｔｍｉｎ），．．．，ｆ（ＴＮ，ＢＷＮ，ＤＮ，ＦＲ，ＮＮ，ｔｍｉｎ））、または数学的に等価なＦ（）＝ｍａｘ（ｔｍｉｎ，ｍａｘ（ｆ（Ｔ１，ＢＷ１，Ｄ１，ＦＲ，Ｎ１），．．．，ｆ（ＴＮ，ＢＷＮ，ＤＮ，ＦＲ．ＮＮ）））は、個々のＲＬＭ−ＲＳリソースに対応するパラメータを持つ関数ｆ（）を用いて個々のＲＬＭ−ＲＳリソースについて算出された評価期間のうち、最長の評価期間である。
・Ｆ（）＝ｍａｘ（ｔｍｉｎ，Ｎ＊Ｔｓｍｔｃ）ここで、ＮはＤＬ品質測定のためのサンプル数、Ｔｓｍｔｃは例えば２０ｍｓ、ｔｍｉｎは例えばＯＯＳで２００ｍｓ、ＩＳで１００ｍｓである。
【０１４６】
評価期間は、典型的には、ＤＲＸサイクル長とともに増加する。１つ以上の実施形態では、評価期間は、少なくとも固定された測定ギャップ長に対して、測定ギャップ周期性とともに増加する。
【０１４７】
次いで、評価期間は、ＵＥによって、対応するＤＬ信号品質測定（例えば、ＳＩＮＲ）を実行するために、各ＲＬＭ−ＲＳリソースのためのサンプルを取得するために使用されてもよい。仮想的な制御チャネル（例えば、ＰＤＣＣＣＨおよびＤＭＲＳ）構成に基づいて、およびＤＬ測定に基づいて、ＵＥは、対応する無線リンクの品質を評価する（ＤＬ測定の結果は、異なるＲＬＭ−ＲＳリソースに対して異なるものであり得るので、リンク品質評価の結果は、異なるＲＬＭ−ＲＳリソースに対して異なるものであり得る）。一例では、これは、ＤＬ測定値を仮想チャネルの品質にマッピングする（例えば、ＳＩＮＲをＢＬＥＲにマッピングする）ことを含む。マッピングの結果は、その後、目標とするパフォーマンスメトリックに対応する閾値（例えば、同期中および同期外のＢＬＥＲがそれぞれ２％または１０％である）とさらに比較される。次に、ＵＥ物理レイヤは、上位レイヤに同期中または同期外を示すかどうかを決定する。他の例では、これは、目標パフォーマンスメトリック（例えば、同期中および同期外についてそれぞれ２％または１０％のＢＬＥＲ）を、対応するＤＬ信号品質測定またはＤＬ信号品質しきい値（例えば、Ｑinしきい値およびＱoutしきい値）にマッピングすることを含んでいてもよい。次に、ＵＥは、実際のＤＬ信号品質測定の結果をＤＬ信号品質しきい値と比較する。この比較に基づいて、ＵＥの物理レイヤは、次に、上位レイヤに対して同期中または同期外を示すかどうかを決定する。
【０１４８】
ＩＳ（同期）は、すべての構成されたＸ個のＲＬＭ−ＲＳリソースのうち少なくともＹ＝１個のＲＬＭ−ＲＳリソースに基づく仮想ＰＤＣＣＨ＿ＢＬＥＲに対応する推定リンク品質がＱin閾値以上である場合に表示され、ＯＯＳ（非同期）は、すべての構成されたＸ個のＲＬＭ−ＲＳリソースに基づく仮想ＰＤＣＣＨ＿ＢＬＥＲに対応する推定リンク品質がＱout閾値以下である場合に表示される。
【０１４９】
図１５は、スライディングウィンドウ方式（例えば、実行中の平均値を計算するのに似た方式）で実装された評価期間を持つＲＬＭの例を示しており、各評価期間は、同時に開始する（したがって、終了する）２つ以上のＲＬＭ−ＲＳの共通の評価期間である。評価期間が終了すると、ＵＥは、物理レイヤが上位レイヤに同期中または同期外を示す必要があるかどうかを決定するために、対応する閾値へのマッピングおよび比較を実行してもよい。
【０１５０】
本明細書に記載された主題は、任意の適切なコンポーネントを使用して任意の適切なタイプのシステムで実装されてもよいが、本明細書に開示された実施形態は、図１６に図示された例示的な無線ネットワークのような無線ネットワークに関連して記載されている。単純化のために、図１６の無線ネットワークは、ネットワーク１６０６、ネットワークノード１６６０、１６６０ｂ、およびＷＤ１６１０、１６１０ｂ、および１６１０ｃのみを描写している。実際には、無線ネットワークは、無線デバイス間の通信、または無線デバイスと固定電話、サービスプロバイダ、または任意の他のネットワークノードまたはエンドデバイスなどの他の通信デバイスとの間の通信をサポートするのに適した任意の追加要素をさらに含んでもよい。図示された構成要素のうち、ネットワークノード１６６０および無線デバイス（ＷＤ）１６１０がさらに詳細に描かれている。無線ネットワークは、無線デバイスの無線ネットワークによって提供されるサービスへのアクセスおよび／または無線ネットワークを介したサービスの使用を容易にするために、通信および他のタイプのサービスを１つ以上の無線デバイスに提供してもよい。
【０１５１】
無線ネットワークは、任意のタイプの通信、電気通信、データ、セルラー、および／または無線ネットワーク、または他の類似のタイプのシステムとのインタフェースを構成してもよい。いくつかの実施形態では、無線ネットワークは、特定の規格または他のタイプの事前に定義された規則または手順に従って動作するように構成されてもよい。したがって、無線ネットワークの特定の実施形態は、移動通信のグローバルシステム（ＧＳＭ）、ユニバーサル移動通信システム（ＵＭＴＳ）、ロングタームエボリューション（ＬＴＥ）、ナローバンドインターネットオブシングス（ＮＢ−ＩｏＴ）、および／または他の適切な２Ｇ、３Ｇ、４Ｇ、または５Ｇ規格などの通信規格、ＩＥＥＥＥ８０２．１１規格などの無線ローカルエリアネットワーク（ＷＬＡＮ）規格；および／または、マイクロ波アクセスのための世界相互運用性（ＷｉＭａｘ）、Ｂｌｕｅｔｏｏｔｈ（登録商標）、Ｚ−Ｗａｖｅおよび／またはＺｉｇＢｅｅ規格などの他の適切な無線通信規格に実施し得る。
【０１５２】
ネットワーク１６０６は、デバイス間の通信を可能にするために、１つ以上のバックホールネットワーク、コアネットワーク、ＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、および他のネットワークから構成されていてもよい。
【０１５３】
ネットワークノード１６６０およびＷＤ１６１０は、以下でより詳細に説明する様々なコンポーネントを構成する。これらの構成要素は、無線ネットワークにおける無線接続の提供など、ネットワークノードおよび／または無線デバイスの機能を提供するために協働する。異なる実施形態では、無線ネットワークは、有線または無線ネットワーク、ネットワークノード、基地局、コントローラ、無線デバイス、中継局、および／または有線接続または無線接続を介しているか否かにかかわらず、データおよび／または信号の通信を容易にするか、またはそれに参加する任意の数の他のコンポーネントまたはシステムで構成されていてもよい。
【０１５４】
本明細書で使用されるように、ネットワークノードは、無線デバイスおよび／または無線デバイスへの無線アクセスを可能にし、および／または無線ネットワーク内の他の機能（例えば、管理）を実行するために、無線デバイスおよび／または無線ネットワーク内の他のネットワークノードまたは装置と直接または間接的に通信することが可能であり、構成され、配置され、および／または動作可能な装置を指す。ネットワークノードの例としては、アクセスポイント（ＡＰ）（例えば、無線アクセスポイント）、基地局（ＢＳ）（例えば、無線基地局、ノードＢ、進化型ノードＢ（ｅＮＢ）、およびＮＲノードＢ（ｇＮＢ））が挙げられるが、これらに限定されない。基地局は、それらが提供するカバレッジの量（または、別の言い方をすれば、それらの送信電力レベル）に基づいて分類されてもよく、フェムト基地局、ピコ基地局、マイクロ基地局、またはマクロ基地局と呼ばれてもよい。基地局は、中継ノードまたは中継を制御する中継ドナーノードであってもよい。ネットワークノードはまた、集中デジタルユニットおよび／またはリモート無線ユニット（ＲＲＵ）（リモート無線ヘッド（ＲＲＨ）と呼ばれることもある）などの分散型無線基地局の１つまたは複数（またはすべて）の部分を含んでもよい。そのような遠隔無線ユニットは、アンテナ一体型無線機としてアンテナと一体化されていてもよいし、一体化されていなくてもよい。分散型無線基地局の一部は、分散型アンテナシステム（ＤＡＳ）のノードと呼ばれることもある。さらに他の例として、ネットワークノードは、ＭＳＲ＿ＢＳなどのマルチスタンダード無線（ＭＳＲ）機器、無線ネットワークコントローラ（ＲＮＣ）または基地局コントローラ（ＢＳＣ）などのネットワークコントローラ、基地送受信局（ＢＴＳ）、送信ポイント、送信ノード、マルチセル／マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および／またはＭＤＴを含む。他の例として、ネットワークノードは、以下でより詳細に説明するように、仮想ネットワークノードであってもよい。しかし、より一般的には、ネットワークノードは、無線ネットワークへのアクセスを可能にし、および／または無線デバイスに無線ネットワークへのアクセスを提供するか、または無線ネットワークにアクセスした無線デバイスに何らかのサービスを提供することができる、構成され、配置され、および／または動作可能な任意の適切なデバイス（またはデバイスのグループ）を表してもよい。
【０１５５】
図１６において、ネットワークノード１６６０は、処理回路１６７０、デバイス可読媒体１６８０、インタフェース１６９０、補助装置１６８４、電源１６８６、電力回路１６８７、およびアンテナ１６６２を含む。図１６の例示的な無線ネットワークに図示されたネットワークノード１６６０は、図示されたハードウェア構成要素の組み合わせを含むデバイスを表してもよいが、他の実施形態では、構成要素の異なる組み合わせを有するネットワークノードを構成してもよい。ネットワークノードは、本明細書に開示されたタスク、特徴、機能、および方法を実行するために必要なハードウェアおよび／またはソフトウェアの任意の適切な組み合わせを構成することが理解されるであろう。さらに、ネットワークノード１６６０の構成要素は、より大きなボックス内に位置する単一のボックスとして、または複数のボックス内に入れ子になっているように描かれているが、実際には、ネットワークノードは、図示された単一の構成要素を構成する複数の異なる物理的構成要素を構成してもよい（例えば、デバイス可読媒体１６８０は、複数の独立したハードドライブおよび複数のＲＡＭモジュールを構成してもよい）。
【０１５６】
同様に、ネットワークノード１６６０は、複数の物理的に分離したコンポーネント（例えば、ＮｏｄｅＢコンポーネントとＲＮＣコンポーネント、またはＢＴＳコンポーネントとＢＳＣコンポーネントなど）で構成されていてもよく、これらは、それぞれ、それぞれがそれぞれのコンポーネントを有していてもよい。ネットワークノード１６６０が複数の別個のコンポーネント（例えば、ＢＴＳコンポーネントおよびＢＳＣコンポーネント）を構成する特定のシナリオでは、別個のコンポーネントのうちの１つまたは複数が、複数のネットワークノード間で共有されてもよい。例えば、単一のＲＮＣが複数のＮｏｄｅＢを制御してもよい。そのようなシナリオでは、それぞれのユニークなＮｏｄｅＢとＲＮＣのペアは、いくつかの実施形態では、単一の別個のネットワークノードとみなされてもよい。いくつかの実施形態では、ネットワークノード１６６０は、複数の無線アクセス技術（ＲＡＴ）をサポートするように構成されてもよい。そのような実施形態では、いくつかの構成要素は重複してもよく（例えば、異なるＲＡＴのための別個のデバイス可読媒体１６８０）、いくつかの構成要素は再利用されてもよい（例えば、同じアンテナ１６６２がＲＡＴによって共有されてもよい）。ネットワークノード１６６０はまた、ネットワークノード１６６０に統合された異なる無線技術、例えば、ＧＳＭ、ＷＣＤＭＡ、ＬＴＥ、ＮＲ、ＷｉＦｉ、またはＢｌｕｅｔｏｏｏｔｈなどの無線技術のための様々な図示された構成要素の複数のセットを含んでもよい。これらの無線技術は、ネットワークノード１６６０内の同じまたは異なるチップまたはチップのセットおよび他のコンポーネントに統合されていてもよい。
【０１５７】
処理回路１６７０は、ネットワークノードによって提供されるものとして本明細書に記載されている任意の決定、計算、または類似の操作（例えば、特定の取得操作）を実行するように構成されている。処理回路１６７０によって実行されるこれらの操作は、例えば、得られた情報を他の情報に変換すること、得られた情報または変換された情報をネットワークノードに格納された情報と比較すること、および／または得られた情報または変換された情報に基づいて１つ以上の操作を実行することによって処理回路１６７０によって得られた情報を処理すること、および前記処理の結果として決定を行うことを含んでもよい。
【０１５８】
処理回路１６７０は、マイクロプロセッサ、コントローラ、マイクロコントローラ、中央処理装置、デジタル信号プロセッサ、特定用途向け集積回路、フィールドプログラマブルゲートアレイ、または他の適当なコンピューティングデバイス、リソース、またはハードウェア、ソフトウェア、および／または符号化された論理の組み合わせのうちの１つ以上の組み合わせで構成されてもよく、単独で、または他のネットワークノード１６６０の構成要素、例えばデバイス可読媒体１６８０などと組み合わせて、ネットワークノード１６６０の機能を提供するために動作可能なものであってもよい。例えば、処理回路１６７０は、デバイス可読媒体１６８０に格納された命令、または処理回路１６７０内のメモリに格納された命令を実行してもよい。そのような機能性は、本明細書で議論される様々な無線機能、機能、または利点のいずれかを提供することを含んでもよい。いくつかの実施形態では、処理回路１６７０は、システムオンチップ（ＳＯＣ）を含んでもよい。
【０１５９】
いくつかの実施形態では、処理回路１６７０は、無線周波数（ＲＦ）送受信回路１６７２およびベースバンド処理回路１６７４のうちの１つまたは複数を含んでもよい。いくつかの実施形態では、無線周波数（ＲＦ）送受信回路１６７２およびベースバンド処理回路１６７４は、無線ユニットおよびデジタルユニットなどの別個のチップ（またはチップのセット）、基板、またはユニット上にあってもよい。代替の実施形態では、ＲＦ送受信回路１６７２およびベースバンド処理回路１６７４の一部または全部が、同じチップまたはチップ、ボード、またはユニットのセット上にあってもよい。
【０１６０】
特定の実施形態では、ネットワークノード、基地局、ｅＮＢ、または他のそのようなネットワークデバイスによって提供されるものとして本明細書に記載されている機能の一部またはすべては、処理回路１６７０が、デバイス可読媒体１６８０または処理回路１６７０内のメモリに格納された命令を実行することによって実行されてもよい。代替の実施形態では、機能の一部または全部は、ハードワイヤード方式などの別個のまたは離散的なデバイス可読媒体に格納された命令を実行することなく、処理回路１６７０によって提供されてもよい。それらの実施形態のいずれかにおいて、デバイス可読記憶媒体に格納された命令を実行するか否かにかかわらず、処理回路１６７０は、記載された機能性を実行するように構成され得る。このような機能性によって提供される利点は、処理回路１６７０単独またはネットワークノード１６６０の他の構成要素に限定されるものではなく、ネットワークノード１６６０全体、および／またはエンドユーザおよび無線ネットワーク一般によって享受される。
【０１６１】
デバイス可読媒体１６８０は、揮発性または不揮発性のコンピュータ可読メモリの任意の形態で構成されてもよく、永続記憶装置、ソリッドステートメモリ、リモートマウントメモリ、磁気媒体、光学媒体、ランダムアクセスメモリ（ＲＡＭ）、読み取り専用メモリ（ＲＯＭ）、大容量記憶媒体（例えば、ハードディスク）、リムーバブル記憶媒体（例えば、フラッシュドライブ、コンパクトディスク（ＣＤ）またはデジタルビデオディスク（ＤＶＤ））、および／または処理回路１６７０によって使用され得る情報、データ、および／または命令を格納する他の任意の揮発性または不揮発性の、非一時的デバイス可読媒体および／またはコンピュータ実行可能な記憶装置を含むが、これに限定されない。デバイス可読媒体１６８０は、コンピュータプログラム、ソフトウェア、ロジック、ルール、コード、テーブルなどの１つ以上を含むアプリケーション、および／または処理回路装置１６７０によって実行され、ネットワークノード１６６０によって利用され得る他の命令を含む、任意の適切な命令、データまたは情報を格納してもよい。デバイス可読媒体１６８０は、処理回路回路１６７０によって行われた任意の計算、および／またはインタフェース１６９０を介して受信された任意のデータを記憶するために使用されてもよい。いくつかの実施形態では、処理回路１６７０およびデバイス可読媒体１６８０は、統合されていると考えられてもよい。
【０１６２】
インタフェース１６９０は、ネットワークノード１６６０、ネットワーク１６０６、および／またはＷＤ１６１０間のシグナリングおよび／またはデータの有線または無線通信において使用される。図示されているように、インタフェース１６９０は、例えば有線接続を介してネットワーク１６０６との間でデータを送受信するためのポート（複数可）／端子（複数可）１６９４を構成する。インタフェース１６９０はまた、アンテナ１６６２に結合されてもよい、または特定の実施形態ではアンテナ１６６２の一部である無線フロントエンド回路１６９２を含む。無線フロントエンド回路１６９２は、フィルタ１６９８および増幅器１６９６を含む。無線フロントエンド回路１６９２は、アンテナ１６６２および処理回路１６７０に接続されてもよい。無線フロントエンド回路は、アンテナ１６６２と処理回路１６７０との間で通信される信号を条件付けするように構成されてもよい。無線フロントエンド回路１６９２は、無線接続を介して他のネットワークノードまたはＷＤに送信されるべきデジタルデータを受信してもよい。無線フロントエンド回路１６９２は、フィルタ１６９８および／または増幅器１６９６の組み合わせを使用して、デジタルデータを適切なチャネルおよび帯域幅パラメータを有する無線信号に変換してもよい。次いで、無線信号は、アンテナ１６６２を介して送信されてもよい。同様に、データを受信するとき、アンテナ１６６２は、無線フロントエンド回路１６９２によってデジタルデータに変換される無線信号を収集してもよい。デジタルデータは、処理回路１６７０に渡されてもよい。他の実施形態では、インタフェースは、異なる構成要素および／または構成要素の異なる組み合わせで構成されてもよい。
【０１６３】
特定の代替的な実施形態では、ネットワークノード１６６０は、別個の無線フロントエンド回路１６９２を含まず、代わりに、処理回路１６７０は、無線フロントエンド回路を構成してもよく、別個の無線フロントエンド回路１６９２なしにアンテナ１６６２に接続されてもよい。同様に、いくつかの実施形態では、ＲＦ送受信回路１６７２の全部または一部は、インタフェース１６９０の一部とみなされてもよい。また他の実施形態では、インタフェース１６９０は、無線ユニット（図示せず）の一部として、１つまたは複数のポートまたは端子１６９４、無線フロントエンド回路１６９２、およびＲＦ送受信回路１６７２を含んでもよく、インタフェース１６９０は、デジタルユニット（図示せず）の一部であるベースバンド処理回路１６７４と通信してもよい。
【０１６４】
アンテナ１６６２は、無線信号を送信および／または受信するように構成された１つ以上のアンテナ、またはアンテナアレイを含んでもよい。アンテナ１６６２は、無線フロントエンド回路１６９０に結合されてもよく、データおよび／または信号を無線で送受信することができる任意のタイプのアンテナであってもよい。いくつかの実施形態では、アンテナ１６６２は、例えば２ＧＨｚと６６ＧＨｚの間で無線信号を送受信するために動作可能な１つ以上の無指向性アンテナ、セクタアンテナ、またはパネルアンテナを含んでもよい。無指向性アンテナは、任意の方向の無線信号を送受信するために使用されてもよく、セクターアンテナは、特定の領域内の装置からの無線信号を送受信するために使用されてもよく、パネルアンテナは、無線信号を比較的直線的に送受信するために使用される視線アンテナであってもよい。いくつかの実施形態では、複数のアンテナの使用は、ＭＩＭＯと呼ばれてもよい。特定の実施形態では、アンテナ１６６２は、ネットワークノード１６６０とは別体であってもよく、インタフェースまたはポートを介してネットワークノード１６６０に接続可能であってもよい。
【０１６５】
アンテナ１６６２、インタフェース１６９０、および／または処理回路１６７０は、ネットワークノードによって実行されるものとして本明細書に記載される任意の受信操作および／または特定の取得操作を実行するように構成されてもよい。任意の情報、データおよび／または信号は、無線デバイス、他のネットワークノード、および／または任意の他のネットワーク機器から受信されてもよい。同様に、アンテナ１６６２、インタフェース１６９０、および／または処理回路１６７０は、ネットワークノードによって実行されるものとして本明細書に記載されている任意の送信操作を実行するように構成されてもよい。任意の情報、データおよび／または信号は、無線デバイス、他のネットワークノード、および／または任意の他のネットワーク機器に送信されてもよい。
【０１６６】
電力回路１６８７は、電力管理回路を構成してもよく、またはそれに結合されてもよく、ネットワークノード１６６０の構成要素に、本明細書に記載された機能を実行するための電力を供給するように構成される。電力回路１６８７は、電源１６８６から電力を受け取ってもよい。電源１６８６および／または電源回路１６８７は、それぞれの構成要素に適した形で（例えば、それぞれの構成要素に必要とされる電圧および電流レベルで）ネットワークノード１６６０の様々な構成要素に電力を供給するように構成されてもよい。電源１６８６は、電源回路１６８７および／またはネットワークノード１６６０に含まれていてもよいし、外部であってもよい。例えば、ネットワークノード１６６０は、電気ケーブルのような入力回路またはインタフェースを介して外部電源（例えば、コンセント）に接続可能であってもよく、それにより、外部電源が電源回路１６８７に電力を供給する。さらなる例として、電源１６８６は、電源回路１６８７に接続されているか、または電源回路１６８７に統合されているバッテリまたはバッテリパックの形態の電源を構成してもよい。バッテリは、外部電源が故障した場合にバックアップ電力を提供してもよい。光起電力デバイスのような他のタイプの電源も使用されてもよい。
【０１６７】
ネットワークノード１６６０の代替的な実施形態は、本明細書に記載された機能のいずれかおよび／または本明細書に記載された主題をサポートするために必要な機能のいずれかを含む、ネットワークノードの機能の特定の側面を提供することに責任を負うことができる、図１６に示されたものを超えた追加のコンポーネントを含んでもよい。例えば、ネットワークノード１６６０は、ネットワークノード１６６０への情報の入力を可能にし、ネットワークノード１６６０からの情報の出力を可能にするためのユーザインタフェース装置を含んでもよい。これにより、ユーザは、ネットワークノード１６６０の診断、保守、修理、および他の管理機能を実行することができるようにしてもよい。
【０１６８】
本明細書で使用されるように、無線デバイス（ＷＤ）は、ネットワークノードおよび／または他の無線デバイスと無線で通信することが可能で、構成され、配置され、および／または動作可能なデバイスを指す。特に断りのない限り、用語ＷＤは、本明細書では、ユーザ装置（ＵＥ）と互換的に使用され得る。無線通信は、電磁波、電波、赤外線、および／またはエアを介して情報を伝達するのに適した他のタイプの信号を使用して無線信号を送信および／または受信することを含み得る。いくつかの実施形態では、ＷＤは、人間の直接的な相互作用なしに情報を送信および／または受信するように構成されてもよい。例えば、ＷＤは、内部イベントまたは外部イベントによってトリガされたとき、またはネットワークからの要求に応答して、所定のスケジュールでネットワークに情報を送信するように構成されてもよい。ＷＤの例としては、スマートフォン、携帯電話、セル電話、ボイスオーバーＩＰ（ＶｏＩＰ）電話、無線ローカルループ電話、デスクトップコンピュータ、パーソナルデジタルアシスタント（ＰＤＡ）、無線カメラ、ゲーム機または装置、音楽ストレージ装置、再生装置、ウェアラブル端末装置、無線エンドポイント、モバイルステーション、タブレット、ラップトップ、ラップトップ内蔵装置（ＬＥＥ）、ラップトップ搭載装置（ＬＭＥ）、スマートデバイス、無線カスタマープレミス装置（ＣＰＥ）などが挙げられるが、これらに限定されるものではない。車載型無線端末装置など。ＷＤは、例えば、サイドリンク通信、車両間通信（Ｖ２Ｖ）、車両対インフラストラクチャ（Ｖ２Ｉ）、車両対任意物通信（Ｖ２Ｘ）のための３ＧＰＰ規格を実装することによって、デバイス間通信（Ｄ２Ｄ）をサポートしてもよく、この場合、Ｄ２Ｄ通信装置と呼ばれてもよい。さらに他の具体例として、モノのインターネット（ＩｏＴ）シナリオにおいて、ＷＤは、監視および／または測定を実行し、そのような監視および／または測定の結果を他のＷＤおよび／またはネットワークノードに送信する機械または他の装置を表してもよい。この場合、ＷＤは、３ＧＰＰの文脈ではＭＴＣデバイスと呼ばれるマシンツーマシン（Ｍ２Ｍ）デバイスであってもよい。特定の例として、ＷＤは、３ＧＰＰのナローバンドインターネットオブシングス（ＮＢ−ＩｏＴ）標準を実装したＵＥであり得る。このような機械または装置の特に例としては、センサー、電力計などの計量装置、産業機械、または家庭用または個人用の電化製品（冷蔵庫、テレビなど）個人用ウェアラブル（時計、フィットネストラッカーなど）がある。他の態様では、ＷＤは、その動作状態またはその動作に関連する他の機能を監視および／または報告することができる車両または他の装置を表してもよい。上述のようなＷＤは、無線接続のエンドポイントを表してもよく、この場合、装置は無線端末と呼ばれてもよい。さらに、上述したようなＷＤは、移動可能であってもよく、その場合には、移動装置または移動端末と呼ばれてもよい。
【０１６９】
図示されているように、無線デバイス１６１０は、アンテナ１６１１、インタフェース１６１４、処理回路１６２０、デバイス可読媒体１６３０、ユーザインタフェース装置１６３２、補助装置１６３４、電源１６３６、および電源回路１６３７を含む。ＷＤ１６１０は、ＷＤ１６１０によってサポートされる異なる無線技術、例えば、いくつかを挙げるだけで、例えば、ＧＳＭ、ＷＣＤＭＡ、ＬＴＥ、ＮＲ、ＷｉＦｉ、ＷｉＭＡＸ、ＮＢ−ＩｏＴ、またはＢｌｕｅｔｏｏｏｔｈ無線技術のような、図示された１つ以上の構成要素の複数のセットを含んでいてもよい。これらの無線技術は、ＷＤ１６１０内の他のコンポーネントと同じまたは異なるチップまたはチップセットに統合されていてもよい。
【０１７０】
アンテナ１６１１は、無線信号を送信および／または受信するように構成された１つ以上のアンテナまたはアンテナアレイを含んでもよく、インタフェース１６１４に接続される。特定の代替的な実施形態では、アンテナ１６１１は、ＷＤ１６１０から分離され、インタフェースまたはポートを介してＷＤ１６１０に接続可能であってもよい。アンテナ１６１１、インタフェース１６１４、および／または処理回路１６２０は、ＷＤによって実行されるものとして本明細書に記載されている任意の受信または送信操作を実行するように構成されてもよい。任意の情報、データおよび／または信号は、ネットワークノードおよび／または他のＷＤから受信されてもよい。いくつかの実施形態では、無線フロントエンド回路および／またはアンテナ１６１１は、インタフェースと見なされてもよい。
【０１７１】
図示されているように、インタフェース１６１４は、無線フロントエンド回路１６１２とアンテナ１６１１とを含む。無線フロントエンド回路１６１２は、１つ以上のフィルタ１６１８および増幅器１６１６を構成する。無線フロントエンド回路１６１４は、アンテナ１６１１および処理回路１６２０に接続され、アンテナ１６１１と処理回路１６２０との間で通信される信号を条件付けるように構成されている。無線フロントエンド回路１６１２は、アンテナ１６１１に結合されていてもよいし、アンテナ１６１１の一部であってもよい。いくつかの実施形態では、ＷＤ１６１０は、別個の無線フロントエンド回路１６１２を含まず、むしろ、処理回路１６２０は、無線フロントエンド回路を構成してもよく、アンテナ１６１１に接続されてもよい。同様に、いくつかの実施形態では、ＲＦ送受信回路１６２２の一部または全部が、インタフェース１６１４の一部とみなされてもよい。無線フロントエンド回路１６１２は、無線接続を介して他のネットワークノードまたはＷＤに送信されるべきデジタルデータを受信してもよい。無線フロントエンド回路１６１２は、フィルタ１６１８および／または増幅器１６１６の組み合わせを使用して、デジタルデータを適切なチャネルおよび帯域幅パラメータを有する無線信号に変換してもよい。その後、無線信号は、アンテナ１６１１を介して送信されてもよい。同様に、データを受信する場合、アンテナ１６１１は、無線フロントエンド回路１６１２によってデジタルデータに変換される無線信号を収集してもよい。デジタルデータは、処理回路１６２０に渡されてもよい。他の実施形態では、インタフェースは、異なるコンポーネントおよび／またはコンポーネントの異なる組み合わせで構成されてもよい。
【０１７２】
処理回路１６２０は、マイクロプロセッサ、コントローラ、マイクロコントローラ、中央処理装置、デジタル信号プロセッサ、特定用途向け集積回路、フィールドプログラマブルゲートアレイ、または任意の他の適切なコンピューティングデバイス、リソース、またはハードウェア、ソフトウェア、および／または符号化された論理の組み合わせのうちの１つ以上の組み合わせで構成されてもよく、単独で、または他のＷＤ１６１０の構成要素、例えばデバイス可読媒体１６３０のようなＷＤ１６１０の機能性を提供するために動作可能なものである。そのような機能性は、本明細書で議論される様々な無線機能または利点のいずれかを提供することを含むことができる。例えば、処理回路１６２０は、本明細書に開示された機能性を提供するために、デバイス可読媒体１６３０または処理回路１６２０内のメモリに格納された命令を実行してもよい。
【０１７３】
図示されているように、処理回路１６２０は、ＲＦ送受信回路１６２２、ベースバンド処理回路１６２４、およびアプリケーション処理回路１６２６のうちの１つまたは複数を含む。他の実施形態では、処理回路は、異なるコンポーネントおよび／またはコンポーネントの異なる組み合わせで構成されてもよい。特定の実施形態では、ＷＤ１６１０の処理回路１６２０は、ＳＯＣを構成してもよい。いくつかの実施形態では、ＲＦ送受信回路１６２２、ベースバンド処理回路１６２４、およびアプリケーション処理回路１６２６は、別個のチップまたはチップのセット上にあってもよい。代替的な実施形態では、ベースバンド処理回路１６２４およびアプリケーション処理回路１６２６の一部または全部が、１つのチップまたはチップセットに結合されてもよく、ＲＦ送受信回路１６２２は、別個のチップまたはチップセット上にあってもよい。さらなる代替的な実施形態では、ＲＦ送受信回路１６２２およびベースバンド処理回路１６２４の一部または全部が同じチップまたはチップセット上にあってもよく、アプリケーション処理回路１６２６が別個のチップまたはチップセット上にあってもよい。さらに他の代替的な実施形態では、ＲＦ送受信回路１６２２、ベースバンド処理回路１６２４、およびアプリケーション処理回路１６２６の一部または全部が、同じチップまたはチップセット内に結合されてもよい。いくつかの実施形態では、ＲＦ送受信回路１６２２は、インタフェース１６１４の一部であってもよい。ＲＦ送受信回路１６２２は、処理回路１６２０のためにＲＦ信号を条件付けしてもよい。
【０１７４】
特定の実施形態では、ＷＤによって実行されるものとして本明細書に記載された機能の一部または全部は、デバイス可読媒体１６３０に格納された命令を実行する処理回路１６２０によって提供されてもよく、これは、特定の実施形態では、コンピュータ可読記憶媒体であってもよい。代替の実施形態では、機能の一部または全部は、ハードワイヤード方式などの別個のまたは個別のデバイス可読記憶媒体に格納された命令を実行することなく、処理回路１６２０によって提供されてもよい。それらの特定の実施形態のいずれかにおいて、デバイス可読記憶媒体に格納された命令を実行するか否かにかかわらず、処理回路１６２０は、記載された機能性を実行するように構成され得る。このような機能性によって提供される利点は、処理回路１６２０単独またはＷＤ１６１０の他の構成要素に限定されるものではなく、ＷＤ１６１０全体として、および／またはエンドユーザおよび無線ネットワーク一般によって享受される。
【０１７５】
処理回路１６２０は、ＷＤによって実行されるものとして本明細書に記載されている任意の決定、計算、または類似の操作（例えば、特定の取得操作）を実行するように構成されていてもよい。処理回路１６２０によって実行されるこれらの操作は、例えば、得られた情報を他の情報に変換すること、得られた情報または変換された情報をＷＤ１６１０によって記憶された情報と比較すること、および／または得られた情報または変換された情報に基づいて１つ以上の操作を実行することによって、処理回路１６２０によって得られた情報を処理すること、および前記処理の結果として決定を行うことを含んでもよい。
【０１７６】
デバイス可読媒体１６３０は、コンピュータプログラム、ソフトウェア、ロジック、ルール、コード、テーブルなどの１つ以上を含むアプリケーション、および／または処理回路１６２０によって実行されることが可能な他の命令を格納するために動作可能であってもよい。デバイス可読媒体１６３０は、コンピュータメモリ（例えば、ランダムアクセスメモリ（ＲＡＭ）またはリードオンリーメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、および／または処理回路装置１６２０によって使用され得る情報、データ、および／または命令を記憶することができる他の任意の揮発性または不揮発性、非一過性のデバイス可読および／またはコンピュータ実行可能なメモリデバイスを含む。いくつかの実施形態では、処理回路装置１６２０およびデバイス可読媒体１６３０は、統合されていると考えられてもよい。
【０１７７】
ユーザインタフェース装置１６３２は、人間のユーザがＷＤ１６１０と相互作用することを可能にする構成要素を提供してもよい。そのような相互作用は、視覚、聴覚、触覚などの多くの形態であってもよい。ユーザインタフェース装置１６３２は、ユーザに出力を生成し、ユーザがＷＤ１６１０に入力を提供することを可能にするように動作可能であってもよい。インタラクションのタイプは、ＷＤ１６１０に設置されたユーザインタフェース装置１６３２のタイプに応じて変化してもよい。例えば、ＷＤ１６１０がスマートフォンである場合、インタラクションはタッチスクリーンを介してもよく、ＷＤ１６１０がスマートメータである場合、インタラクションは、使用量（例えば、使用されたガロン数）を提供するスクリーンを介してもよく、または可聴警報（例えば、煙が検出された場合）を提供するスピーカを介してもよい。ユーザインタフェース装置１６３２は、入力インタフェース、装置および回路、ならびに出力インタフェース、装置および回路を含んでもよい。ユーザインタフェース装置１６３２は、ＷＤ１６１０への情報の入力を可能にするように構成され、処理回路１６２０に接続され、処理回路１６２０が入力された情報を処理することを可能にする。ユーザインタフェース装置１６３２は、例えば、マイク、近接または他のセンサ、キー／ボタン、タッチディスプレイ、１つまたは複数のカメラ、ＵＳＢポート、または他の入力回路を含むことができる。ユーザインタフェース装置１６３２はまた、ＷＤ１６１０からの情報の出力を可能にし、処理回路１６２０がＷＤ１６１０からの情報の出力を可能にするように構成されている。ユーザインタフェース装置１６３２は、例えば、スピーカ、ディスプレイ、振動回路、ＵＳＢポート、ヘッドフォンインタフェース、または他の出力回路を含んでもよい。ユーザインタフェース装置１６３２の１つ以上の入力インタフェース、出力インタフェース、装置、および回路を使用して、ＷＤ１６１０は、エンドユーザおよび／または無線ネットワークと通信し、エンドユーザが本明細書に記載された機能の恩恵を受けることができるようにしてもよい。
【０１７８】
補助装置１６３４は、ＷＤによって一般的に実行されないかもしれないより特定の機能を提供するために動作可能である。これは、様々な目的のために測定を行うための特殊なセンサ、有線通信などの付加的なタイプの通信のためのインタフェースなどで構成されてもよい。補助装置１６３４の構成要素の包含およびタイプは、実施形態および／またはシナリオによって異なる場合がある。
【０１７９】
電源１６３６は、いくつかの実施形態では、バッテリまたはバッテリパックの形態であってもよい。外部電源（例えば、電気コンセント）、光起電力デバイスまたはパワーセルなどの他のタイプの電源も使用されてもよい。ＷＤ１６１０は、本明細書に記載または示された任意の機能を実行するために電源１６３６からの電力を必要とするＷＤ１６１０の様々な部分に電源１６３６からの電力を供給するための電力回路１６３７をさらに含んでいてもよい。電源回路１６３７は、特定の実施形態では、電源管理回路を構成してもよい。電源回路１６３７は、追加的に、または代替的に、外部電源から電力を受信するために動作可能であってもよく、その場合、ＷＤ１６１０は、外部電源（例えば、電源回路１６３７はまた、特定の実施形態では、外部電源から電源１６３６に電力を送達するために動作可能であってもよい。これは、例えば、電源１６３６の充電のためであってもよい。電力回路１６３７は、電力が供給されるＷＤ１６１０の各構成要素に適した電力にするために、電力源１６３６からの電力に対して任意のフォーマット、変換、または他の修正を実行してもよい。
【０１８０】
図１７は、本明細書に記載された様々な側面に従ったＵＥの一実施形態を示す。本明細書で使用されるように、入力回路または電力ケーブルのようなインタフェースを介したアウトレット。
【０１８１】
ユーザ装置またはＵＥは、必ずしも、当該装置を所有および／または操作する人間のユーザの意味でのユーザを有していなくてもよい。代わりに、ＵＥは、人間のユーザへの販売、または人間のユーザによる操作を意図しているが、特定の人間のユーザとは関連づけられていないかもしれない、または最初は関連づけられていないかもしれない装置（例えば、スマートスプリンクラーコントローラ）を表してもよい。あるいは、ＵＥは、エンドユーザへの販売またはエンドユーザによる操作を意図していないが、ユーザの利益のために関連付けられているかまたは操作されている可能性があるデバイス（例えば、スマート電力メータ）を表してもよい。ＵＥ１７２０は、ＮＢ−ＩｏＴ＿ＵＥ、機械型通信（ＭＴＣ）ＵＥ、および／または拡張ＭＴＣ（ｅＭＴＣ）ＵＥを含む、第３世代パートナーシッププロジェクト（３ＧＰＰ）によって特定された任意のＵＥであってもよい。図１７に示されるように、ＵＥ１７００は、３ＧＰＰＰのＧＳＭ、ＵＭＴＳ、ＬＴＥ、および／または５Ｇ規格などの第３世代パートナーシッププロジェクト（３ＧＰＰ）によって公布された１つ以上の通信規格に従って通信するように構成されたＷＤの一例である。前述したように、ＷＤおよびＵＥという用語は、交換可能に使用されてもよい。したがって、図１７はＵＥであるが、本明細書で論じた構成要素は、ＷＤにも同様に適用可能であり、またその逆も同様である。
【０１８２】
図１７において、ＵＥ１７００は、入出力インタフェース１７０５、無線周波数（ＲＦ）インタフェース１７０９、ネットワーク接続インタフェース１７１１、ランダムアクセスメモリ（ＲＡＭ）１７１７、読み出し専用メモリ（ＲＯＭ）１７１９を含むメモリ１７１５、および記憶媒体１７２１等、通信サブシステム１７３１、電源１７３３、および／または任意の他の構成要素、またはそれらの任意の組み合わせに作動的に結合された処理回路１７０１を含む。記憶媒体１７２１は、オペレーティングシステム１７２３、アプリケーションプログラム１７２５、およびデータ１７２７を含む。他の実施形態では、記憶媒体１７２１は、他の同様のタイプの情報を含んでもよい。特定のＵＥは、図１７に示された構成要素のすべてを利用してもよいし、構成要素のサブセットのみを利用してもよい。構成要素間の統合のレベルは、あるＵＥから他のＵＥへと変化してもよい。さらに、特定のＵＥは、複数のプロセッサ、メモリ、送受信機、送信機、受信機などのコンポーネントの複数のインスタンスを含んでもよい。
【０１８３】
図１７において、処理回路１７０１は、コンピュータ命令およびデータを処理するように構成されてもよい。処理回路１７０１は、メモリ内に機械可読コンピュータプログラムとして格納された機械命令を実行するために作動する任意のシーケンシャルステートマシン、例えば、１つ以上のハードウェア実装ステートマシン（例えば、ディスクリートロジック、ＦＰＧＡ、ＡＳＩＣなど）；適切なファームウェアとともにあるプログラマブルロジック；適切なソフトウェアとともにあるマイクロプロセッサまたはデジタルシグナルプロセッサ（ＤＳＰ）などの１つ以上の格納プログラム、汎用プロセッサ；または上記の任意の組み合わせを実装するように構成されていてもよい。例えば、処理回路１７０１は、２つの中央処理装置（ＣＰＵ）を含んでもよい。データは、コンピュータによる使用に適した形態の情報であってもよい。
【０１８４】
描かれた実施形態では、入力／出力インタフェース１７０５は、入力装置、出力装置、または入出力装置に通信インタフェースを提供するように構成されてもよい。ＵＥ１７００は、入出力インタフェース１７０５を介して出力デバイスを使用するように構成されてもよい。出力デバイスは、入力デバイスと同じタイプのインタフェースポートを使用してもよい。例えば、ＵＳＢポートは、ＵＥ１７００への入力およびＵＥ１７００からの出力を提供するために使用されてもよい。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであってもよい。ＵＥ１７００は、ユーザがＵＥ１７００に情報を取り込むことを可能にするために、入出力インタフェース１７０５を介して入力デバイスを使用するように構成されてもよい。入力デバイスは、タッチセンシティブまたはプレゼンスセンシティブディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための容量性または抵抗性のタッチセンサを含んでもよい。センサは、例えば、加速度センサ、ジャイロスコープ、傾斜センサ、力センサ、地磁気センサ、光学センサ、近接センサ、他の類似センサ、またはそれらの任意の組み合わせであってもよい。例えば、入力デバイスは、加速度センサ、地磁気センサ、デジタルカメラ、マイク、および光学センサであってもよい。
【０１８５】
図１７において、ＲＦインタフェース１７０９は、送信機、受信機、およびアンテナなどのＲＦコンポーネントに通信インタフェースを提供するように構成されてもよい。ネットワーク接続インタフェース１７１１は、ネットワーク１７４３ａに通信インタフェースを提供するように構成されてもよい。ネットワーク１７４３ａは、ローカルエリアネットワーク（ＬＡＮ）、広域ネットワーク（ＷＡＮ）、コンピュータネットワーク、無線ネットワーク、電気通信ネットワーク、他の類似ネットワーク、またはそれらの任意の組み合わせなどの有線および／または無線ネットワークを包含してもよい。例えば、ネットワーク１７４３ａは、Ｗｉ−Ｆｉネットワークを構成してもよい。ネットワーク接続インタフェース１７１１は、イーサネット、ＴＣＰ／ＩＰ、ＳＯＮＥＴ、ＡＴＭなどの１つ以上の通信プロトコルに従って、通信ネットワークを介して１つ以上の他の装置と通信するために使用される受信機および送信機インタフェースを含むように構成されてもよい。ネットワーク接続インタフェース１７１１は、通信ネットワークリンク（例えば、光、電気、およびそのようなもの）に適した受信機機能および送信機機能を実装してもよい。送信機および受信機機能は、回路部品、ソフトウェアまたはファームウェアを共有してもよく、または代替的に別々に実装されてもよい。
【０１８６】
ＲＡＭ１７１７は、オペレーティングシステム、アプリケーションプログラム、デバイスドライバなどのソフトウェアプログラムの実行中に、データまたはコンピュータ命令の記憶またはキャッシングを提供するために、バス１７０２を介して処理回路１７０１にインタフェースするように構成されてもよい。ＲＯＭ１７１９は、コンピュータ命令またはデータを処理回路１７０１に提供するように構成されていてもよい。例えば、ＲＯＭ１７１９は、不揮発性メモリに記憶されている基本的な入出力（Ｉ／Ｏ）、起動、またはキーボードからのキーストロークの受信などの基本的なシステム機能のための不変の低レベルのシステムコードまたはデータを記憶するように構成されてもよい。記憶媒体１７２１は、ＲＡＭ、ＲＯＭ、プログラマブルリードオンリーメモリ（ＰＲＯＭ）、消去可能プログラマブルリードオンリーメモリ（ＥＰＲＯＭ）、電気的に消去可能プログラマブルリードオンリーメモリ（ＥＥＰＲＯＭ）、磁気ディスク、光ディスク、フロッピーディスク、ハードディスク、リムーバブルカートリッジ、またはフラッシュドライブなどのメモリを含むように構成されてもよい。一例では、記憶媒体１７２１は、オペレーティングシステム１７２３、ウェブブラウザアプリケーション、ウィジェットまたはガジェットエンジンまたは他のアプリケーションなどのアプリケーションプログラム１７２５、およびデータファイル１７２７を含むように構成されてもよい。記憶媒体１７２１は、ＵＥ１７００による使用のために、様々な様々なオペレーティングシステムまたはオペレーティングシステムの組み合わせのいずれかを記憶してもよい。
【０１８７】
記憶媒体１７２１は、ＲＡＩＤ（独立ディスクのアレイ）、フロッピーディスクドライブ、フラッシュメモリ、ＵＳＢフラッシュドライブ、外付けハードディスクドライブ、サムドライブ、ペンドライブ、キードライブ、高密度デジタル多目的ディスク（ＨＤ−ＤＶＤ）光ディスクドライブ、内蔵ハードディスクドライブなどの多数の物理ドライブユニットを含むように構成されていてもよい。ブルーレイ光ディスクドライブ、ホログラフィックデジタルデータストレージ（ＨＤＤＳ）光ディスクドライブ、外付けミニデュアルインラインメモリモジュール（ＤＩＭＭ）、同期ダイナミックランダムアクセスメモリ（ＳＤＲＡＭ）、外付けマイクロＤＩＭＭＭ＿ＳＤＲＡＭ、加入者ＩＤモジュールまたはリムーバブルユーザＩＤ（ＳＩＭ／ＲＵＩＭ）モジュールなどのスマートカードメモリ、他のメモリ、またはそれらの任意の組み合わせ。記憶媒体１７２１は、ＵＥ１７００が、一過性または非一過性の記憶媒体に記憶されたコンピュータ実行可能な命令、アプリケーションプログラムまたはそのようなものにアクセスし、データをオフロードすること、またはデータをアップロードすることを可能にしてもよい。通信システムを利用するものなどの製造品は、デバイス可読媒体を構成してもよい記憶媒体１７２１に当接可能に具現化されてもよい。
【０１８８】
図１７において、処理回路１７０１は、通信サブシステム１７３１を使用してネットワーク１７４３ｂと通信するように構成されてもよい。ネットワーク１７４３ａおよびネットワーク１７４３ｂは、同じネットワークまたはネットワークであってもよいし、異なるネットワークまたはネットワークであってもよい。通信サブシステム１７３１は、ネットワーク１７４３ｂと通信するために使用される１つ以上の送受信を含むように構成されてもよい。例えば、通信サブシステム１７３１は、ＩＥＥＥ８０２．１２、ＣＤＭＡ、ＷＣＤＭＡ、ＧＳＭ、ＬＴＥ、ＵＴＲＡＮ、ＷｉＭａｘなどの１つ以上の通信プロトコルに従って、他のＷＤ、ＵＥ、または無線アクセスネットワーク（ＲＡＮ）の基地局などの無線通信が可能な他のデバイスの１つ以上のリモート送受信と通信するために使用される１つ以上の送受信を含むように構成されてもよい。各送受信は、それぞれ、ＲＡＮリンクに適した送信機または受信機機能（例えば、周波数割り当てなど）を実装するために、送信機１７３３および／または受信機１７３５を含んでもよい。さらに、各送受信の送信機１７３３および受信機１７３５は、回路部品、ソフトウェアまたはファームウェアを共有してもよく、または代替的に別々に実装されてもよい。
【０１８９】
図示された実施形態では、通信サブシステム１７３１の通信機能は、データ通信、音声通信、マルチメディア通信、Ｂｌｕｅｔｏｏｔｈなどの近距離通信、近距離通信、全地球測位システム（ＧＰＳ）を使用して位置を決定するなどの位置ベースの通信、他の類似の通信機能、またはそれらの任意の組み合わせを含んでもよい。例えば、通信サブシステム１７３１は、セルラー通信、Ｗｉ−Ｆｉ通信、Ｂｌｕｅｔｏｏｔｈ通信、ＧＰＳ通信を含んでもよい。ネットワーク１７４３ｂは、ローカルエリアネットワーク（ＬＡＮ）、広域ネットワーク（ＷＡＮ）、コンピュータネットワーク、無線ネットワーク、通信ネットワーク、他の類似の通信機能、またはそれらの任意の組み合わせなどの有線および／または無線ネットワークを包含してもよい。例えば、ネットワーク１７４３ｂは、セルラーネットワーク、Ｗｉ−Ｆｉネットワーク、および／またはニアフィールドネットワークであってもよい。電源１７１３は、ＵＥ１７００の構成要素に交流（ＡＣ）または直流（ＤＣ）電力を供給するように構成されてもよい。
【０１９０】
本明細書に記載された特徴、利点および／または機能は、ＵＥ１７００の構成要素の１つに実装されてもよいし、ＵＥ１７００の複数の構成要素にまたがって分割されてもよい。さらに、本明細書に記載された特徴、利点、および／または機能は、ハードウェア、ソフトウェア、またはファームウェアの任意の組み合わせで実装されてもよい。一例では、通信サブシステム１７３１は、本明細書に記載された構成要素のいずれかを含むように構成されてもよい。さらに、処理回路１７０１は、バス１７０２を介してそのような構成要素のいずれかと通信するように構成されてもよい。他の例では、そのような構成要素のいずれかは、処理回路１７０１によって実行されると、本明細書に記載された対応する機能を実行する、メモリに格納されたプログラム命令によって表されてもよい。他の例では、そのような構成要素のいずれかの機能は、処理回路１７０１と通信サブシステム１７３１との間で分割されてもよい。他の例では、そのような構成要素のいずれかの非計算集約的な機能は、ソフトウェアまたはファームウェアで実装されてもよく、計算集約的な機能は、ハードウェアで実装されてもよい。
【０１９１】
図１８は、いくつかの実施形態によって実装された機能が仮想化されてもよい仮想化環境１８００を例示する概略ブロック図である。本明細書では、仮想化とは、ハードウェアプラットフォーム、ストレージデバイス、およびネットワークリソースの仮想化を含むことができる装置またはデバイスの仮想バージョンを作成することを意味する。本明細書で使用されるように、仮想化は、ノード（例えば、仮想化された基地局または仮想化された無線アクセスノード）またはデバイス（例えば、ＵＥ、無線デバイス、または任意の他のタイプの通信デバイス）またはそのコンポーネントに適用することができ、機能の少なくとも一部が１つ以上の仮想コンポーネント（例えば、１つ以上のネットワーク内の１つ以上の物理的な処理ノード上で実行される１つ以上のアプリケーション、コンポーネント、機能、仮想マシンまたはコンテナを介して）として実装される実施形態に関連している。
【０１９２】
いくつかの実施形態では、本明細書に記載された機能の一部または全部は、１つ以上のハードウェアノード１８３０によってホストされた１つ以上の仮想環境１８００内に実装された１つ以上の仮想マシンによって実行される仮想コンポーネントとして実装されてもよい。さらに、仮想ノードが無線アクセスノードではないか、または無線接続を必要としない実施形態（例えば、コアネットワークノード）では、ネットワークノードは完全に仮想化されてもよい。
【０１９３】
機能は、本明細書に開示されたいくつかの実施形態の特徴、機能、および／または利点のいくつかを実装するために作動する１つ以上のアプリケーション１８２０（これは、代替的に、ソフトウェアインスタンス、仮想アプライアンス、ネットワーク機能、仮想ノード、仮想ネットワーク機能などと呼ばれてもよい）によって実装されてもよい。アプリケーション１８２０は、処理回路１８６０およびメモリ１８９０を含むハードウェア１８３０を提供する仮想化環境１８００内で実行される。メモリ１８９０は、アプリケーション１８２０が本明細書に開示された１つ以上の特徴、利点、および／または機能を提供するために動作するように、処理回路１８６０によって実行可能な命令１８９５を含む。
【０１９４】
仮想化環境１８００は、市販の（ＣＯＴＳ）プロセッサ、専用の特定用途向け集積回路（ＡＳＩＣ）、またはデジタルまたはアナログのハードウェアコンポーネントまたは特殊用途プロセッサを含む他のタイプの処理回路である可能性がある１以上のプロセッサまたは処理回路１８６０のセットを含む汎用または特殊用途ネットワークハードウェアデバイス１８３０で構成されている。各ハードウェアデバイスは、命令１８９５または処理回路１８６０によって実行されるソフトウェアを一時的に記憶するための非永続メモリであってもよいメモリ１８９０−１を構成してもよい。各ハードウェアデバイスは、物理ネットワークインタフェース１８８０を含むネットワークインタフェースカードとしても知られる、１つ以上のネットワークインタフェースコントローラ（ＮＩＣ）１８７０を構成してもよい。各ハードウェアデバイスはまた、そこに格納されたソフトウェア１８９５および／または処理回路１８６０によって実行可能な命令を有する非一過性の、永続的な、機械読み取り可能な記憶媒体１８９０−２を含んでもよい。ソフトウェア１８９５は、１つ以上の仮想化レイヤ１８５０（ハイパーバイザとも呼ばれる）をインスタンス化するためのソフトウェア、仮想マシン１８４０を実行するためのソフトウェア、および本明細書に記載されたいくつかの実施形態に関連して記載された機能、特徴および／または利点を実行することを可能にするソフトウェアを含む、任意のタイプのソフトウェアを含んでもよい。
【０１９５】
仮想マシン１８４０は、仮想処理、仮想メモリ、仮想ネットワークまたはインタフェース、および仮想ストレージを含み、対応する仮想化レイヤ１８５０またはハイパーバイザによって実行されてもよい。仮想アプライアンス１８２０のインスタンスの異なる実施形態は、仮想マシン１８４０の１つ以上に実装されてもよい。
【０１９６】
動作中、処理回路１８６０は、ハイパーバイザーまたは仮想化レイヤ１８５０をインスタンス化するためのソフトウェア１８９５を実行し、これは、仮想マシンモニタ（ＶＭＭ）と呼ばれることもある。仮想化レイヤ１８５０は、仮想マシン１８４０にネットワークハードウェアのように見える仮想オペレーティングプラットフォームを提示してもよい。
【０１９７】
図１８に示すように、ハードウェア１８３０は、汎用または特定のコンポーネントを有するスタンドアロンのネットワークノードであってもよい。ハードウェア１８３０は、アンテナ１８２２５を構成してもよく、仮想化を介していくつかの機能を実装してもよい。代替的に、ハードウェア１８３０は、多くのハードウェアノードが一緒に動作し、特にアプリケーション１８２０のライフサイクル管理を監督する管理およびオーケストレーション（ＭＡＮＯ）１８１０を介して管理される、ハードウェアのより大きなクラスタ（例えば、データセンターまたはカスタマープレミス装置（ＣＰＥ）内など）の一部であってもよい。
【０１９８】
ハードウェアの仮想化は、いくつかの文脈では、ネットワーク機能仮想化（ＮＦＶ）と呼ばれる。ＮＦＶは、多くのネットワーク機器タイプを、業界標準の大容量サーバハードウェア、物理スイッチ、および物理ストレージ上に統合するために使用されてもよく、これらは、データセンター内に配置されてもよく、カスタマープレミス装置に配置されてもよい。
【０１９９】
ＮＦＶの文脈では、仮想マシン１８４０は、仮想化されていない物理マシン上であたかもプログラムが実行されているかのようにプログラムを実行する物理マシンのソフトウェア実装であってもよい。仮想マシン１８４０のそれぞれ、およびその仮想マシンを実行するハードウェア１８３０のその部分は、その仮想マシン専用のハードウェアおよび／またはその仮想マシンによって仮想マシン１８４０の他の人と共有されるハードウェアであるが、別個の仮想ネットワーク要素（ＶＮＥ）を形成する。
【０２００】
またＮＦＶの文脈では、仮想ネットワーク機能（ＶＮＦ）は、ハードウェアネットワークインフラストラクチャ１８３０の上にある１つ以上の仮想マシン１８４０で実行される特定のネットワーク機能を処理することを担当し、図１８のアプリケーション１８２０に対応する。
【０２０１】
いくつかの実施形態では、それぞれが１つ以上の送信機１８２２および１つ以上の受信機１８２１を含む１つ以上の無線ユニット１８２０は、１つ以上のアンテナ１８２５に結合されてもよい。無線ユニット１８２０は、１つ以上の適切なネットワークインタフェースを介してハードウェアノード１８３０と直接通信してもよく、無線アクセスノードまたは基地局などの無線機能を有する仮想ノードを提供するために、仮想コンポーネントと組み合わせて使用してもよい。
【０２０２】
いくつかの実施形態では、いくつかのシグナリングは、ハードウェアノード１８３０と無線ユニット１８２０との間の通信のために代替的に使用されてもよい制御システム１８２３の使用によって行われてもよい。
【０２０３】
図１９は、いくつかの実施形態に従った、中間ネットワークを介してホストコンピュータに接続された通信ネットワークを示す。特に、図１９を参照して、ある実施形態に従って、通信システムは、無線アクセスネットワークなどのアクセスネットワーク１９１１とコアネットワーク１９１４とを含む３ＧＰＰ型セルラーネットワークなどの通信ネットワーク１９１０を含む。アクセスネットワーク１９１１は、ＮＢ、ｅＮＢ、ｇＮＢまたは他のタイプの無線アクセスポイントのような複数の基地局１９１２ａ、１９１２ｂ、１９１２ｃを含み、それぞれが対応するカバレッジエリア１９１３ａ、１９１３ｂ、１９１３ｃを定義し、それぞれの基地局１９１２ａ、１９１２ｂ、１９１２ｃは、対応するカバレッジエリア１９１３ａ、１９１３ｂ、１９１３ｃを定義する。各基地局１９１２ａ、１９１２ｂ、１９１２ｃは、有線または無線接続１９１５を介してコアネットワーク１９１４に接続可能である。カバレッジエリア１９１３ｃに位置する第１のＵＥ１９９１は、対応する基地局１９１２ｃに無線で接続するか、またはページングされるように構成されている。カバレッジエリア１９１３ａにある第２のＵＥ１９９２は、対応する基地局１９１２ａに無線で接続可能である。複数のＵＥ１９９１，１９９２がこの例で図示されているが、開示された実施形態は、単独のＵＥがカバレッジエリア内にある状況、または単独のＵＥが対応する基地局１９１２に接続している状況にも同様に適用可能である。
【０２０４】
通信ネットワーク１９１０は、それ自体がホストコンピュータ１９３０に接続されており、このホストコンピュータ１９３０は、スタンドアロンサーバ、クラウド実装サーバ、分散サーバ、またはサーバファーム内の処理リソースとしてのハードウェアおよび／またはソフトウェアで具現化されていてもよい。ホストコンピュータ１９３０は、サービス提供者の所有または制御下にあるか、またはサービス提供者によって、またはサービス提供者に代わって運営されてもよい。通信ネットワーク１９１０とホストコンピュータ１９３０との間の接続１９２１、１９２２は、コアネットワーク１９１４からホストコンピュータ１９３０に直接延びてもよいし、任意の中間ネットワーク１９２０を経由してもよい。中間ネットワーク１９２０は、パブリックネットワーク、プライベートネットワーク、またはホストネットワークのうちの１つ、または２つ以上の組み合わせであってもよく、中間ネットワーク１９２０は、もしあれば、バックボーンネットワークまたはインターネットであってもよく、特に、中間ネットワーク１９２０は、２つ以上のサブネットワーク（図示せず）から構成されてもよい。
【０２０５】
図１９の通信システムは、全体として、接続されたＵＥ１９１、１９２とホストコンピュータ１９３０との間の接続性を可能にする。この接続性は、オーバーザトップ（ＯＴＴ）接続１９５０として記述されてもよい。ホストコンピュータ１９３０および接続されたＵＥ１９１、１９９２は、アクセスネットワーク１９１１、コアネットワーク１９１４、任意の中間ネットワーク１９２０、および可能性のある更なるインフラストラクチャ（図示せず）を中間体として使用して、ＯＴＴ接続１９５０を介してデータおよび／またはシグナリングを通信するように構成されている。ＯＴＴ接続１９５０は、ＯＴＴ接続１９５０が通過する参加通信デバイスがアップリンク通信およびダウンリンク通信のルーティングを知らないという意味で透過的であってもよい。例えば、基地局１９１２は、接続されたＵＥ１９１に転送（例えば、引き渡し）されるべきホストコンピュータ１９３０からのデータを有する着信ダウンリンク通信の過去のルーティングについて知らされていなくてもよいし、知らされなくてもよい。同様に、基地局１９１２は、ＵＥ１９１からホストコンピュータ１９３０に向かって発信するアップリンク通信の将来のルーティングについて知らされる必要はない。
【０２０６】
前の段落で議論されたＵＥ、基地局、およびホストコンピュータの例示的な実施形態を、一実施形態に従って、次に、図２０を参照して説明する。図２０は、いくつかの実施形態に従った、部分的に無線接続を介してユーザ装置と基地局を介して通信するホストコンピュータを示す。通信システム２０００において、ホストコンピュータ２０１０は、通信システム２０００の他の通信装置のインタフェースと有線または無線接続を設定し、維持するように構成された通信インタフェース２０１６を含むハードウェア２０１５を構成する。ホストコンピュータ２０１０はさらに、ストレージおよび／または処理能力を有してもよい処理回路２０１８を構成する。特に、処理回路２０１８は、命令を実行するように適合された１つ以上のプログラマブルプロセッサ、特定用途向け集積回路、フィールドプログラマブルゲートアレイ、またはこれらの組み合わせ（図示せず）から構成されてもよい。ホストコンピュータ２０１０は、さらに、ホストコンピュータ２０１０に格納されているか、またはホストコンピュータ２０１０によってアクセス可能であり、処理回路２０１８によって実行可能なソフトウェア２０１１を構成する。ソフトウェア２０１１は、ホストアプリケーション２０１２を含む。ホストアプリケーション２０１２は、ＵＥ２０３０とホストコンピュータ２０１０で終端するＯＴＴ接続２０５０を介して接続するＵＥ２０３０などのリモートユーザにサービスを提供するために動作可能であってもよい。リモートユーザへのサービスの提供において、ホストアプリケーション２０１２は、ＯＴＴ接続２０５０を使用して送信されるユーザデータを提供してもよい。
【０２０７】
通信システム２０００は、通信システムに提供される基地局２０２０をさらに含み、ホストコンピュータ２０１０と、ＵＥ２０３０と通信することを可能にするハードウェア２０２５を構成する。ハードウェア２０２５は、通信システム２０００の他の通信装置のインタフェースとの有線または無線接続を設定して維持するための通信インタフェース２０２６と、基地局２０２０によってサービスされるカバレッジエリア（図２０には示されていない）内に位置するＵＥ２０３０との少なくとも無線接続２０７０を設定して維持するための無線インタフェース２０２７とを含んでもよい。通信インタフェース２０２６は、ホストコンピュータ２０１０との接続２０６０を容易にするように構成されてもよい。接続２０６０は、直接であってもよいし、電気通信システムのコアネットワーク（図２０には示されていない）を通過してもよく、および／または電気通信システムの外部の１つ以上の中間ネットワークを通過してもよい。示された実施形態では、基地局２０２０のハードウェア２０２５は、さらに処理回路２０２８を含み、この処理回路２０２８は、命令を実行するように適合された１つ以上のプログラマブルプロセッサ、特定用途向け集積回路、フィールドプログラマブルゲートアレイ、またはこれらの組み合わせ（図示せず）から構成されてもよい。基地局２０２０はさらに、ソフトウェア２０２１を内部的に記憶しているか、または外部接続を介してアクセス可能である。
【０２０８】
通信システム２０００はさらに、すでに参照されているＵＥ２０３０を含む。ハードウェア２０３５は、ＵＥ２０３０が現在位置しているカバレッジエリアにサービスを提供する基地局２０７０との無線接続２０７０を設定し、維持するように構成された無線インタフェース２０３７を含んでもよい。ＵＥ２０３０のハードウェア２０３５はさらに、処理回路２０３８を含み、これは、命令を実行するように適合された、１つまたは複数のプログラマブルプロセッサ、特定用途向け集積回路、フィールドプログラマブルゲートアレイ、またはこれらの組み合わせ（図示せず）から構成されてもよい。ＵＥ２０３０はさらに、ソフトウェア２０３１を含み、このソフトウェア２０３１は、ＵＥ２０３０に格納されているか、またはＵＥ２０３０によってアクセス可能であり、処理回路２０３８によって実行可能である。ソフトウェア２０３１は、クライアントアプリケーション２０３２を含む。クライアントアプリケーション２０３２は、ホストコンピュータ２０１０の支援を受けて、ＵＥ２０３０を介して人間または非人間のユーザにサービスを提供するために動作可能であってもよい。ホストコンピュータ２０１０において、実行中のホストアプリケーション２０１２は、ＵＥ２０３０およびホストコンピュータ２０１０で終端するＯＴＴ接続２０５０を介して、実行中のクライアントアプリケーション２０３２と通信してもよい。ユーザにサービスを提供する際に、クライアントアプリケーション２０３２は、ホストアプリケーション２０１２から要求データを受信し、要求データに応答してユーザデータを提供してもよい。ＯＴＴ接続２０５０は、要求データとユーザデータの両方を転送してもよい。クライアントアプリケーション２０３２は、提供するユーザデータを生成するためにユーザと対話してもよい。
【０２０９】
図２０に図示されたホストコンピュータ２０１０、基地局２０２０、およびＵＥ２０３０は、それぞれ、ホストコンピュータ２０３０、基地局２０２０ａ、２０２０ｂ、２０２０ｃ、および図２０のＵＥ２０９１、２０９２のうちの１つと類似または同一であってもよいことに留意されたい。すなわち、これらのエンティティの内部動作は、図２０に示されているようなものであってもよく、独立して、周囲のネットワークトポロジーは、図２０のものであってもよい。
【０２１０】
図２０において、ＯＴＴ接続２０５０は、任意の中間装置およびこれらの装置を介したメッセージの正確なルーティングへの明示的な参照なしに、基地局２０２０を介したホストコンピュータ２０１０とＵＥ２０３０との間の通信を例示するために抽象的に描かれている。ネットワークインフラストラクチャは、ルーティングを決定してもよく、それは、ＵＥ２０３０から、またはホストコンピュータ２０１０を操作するサービスプロバイダから、またはその両方から隠すように構成されてもよい。ＯＴＴ接続２０５０がアクティブである間、ネットワークインフラストラクチャは、さらに、ルーティングを動的に変更する決定を行ってもよい（例えば、負荷分散の考慮またはネットワークの再構成に基づいて）。
【０２１１】
ＵＥ２０３０と基地局２０２０との間の無線接続２０７０は、本開示全体に記載された実施形態の教示に従う。様々な実施形態の１つ以上は、無線接続２０７０が最後のセグメントを形成するＯＴＴ接続２０５０を使用して、ＵＥ２０３０に提供されるＯＴＴサービスのパフォーマンスを向上させる。
【０２１２】
測定手順は、データレート、遅延、および１つ以上の実施形態が改善する他の要因を監視する目的で提供されてもよい。測定結果の変動に応答して、ホストコンピュータ２０１０とＵＥ２０３０との間でＯＴＴ接続２０５０を再構成するための任意のネットワーク機能がさらに提供されてもよい。測定手順および／またはＯＴＴ接続２０５０を再構成するためのネットワーク機能は、ホストコンピュータ２０１０のソフトウェア２０１１およびハードウェア２０１５、またはＵＥ２０３０のソフトウェア２０３１およびハードウェア２０３５、またはその両方で実装されてもよい。実施形態では、センサ（図示せず）は、ＯＴＴ接続２０５０が通過する通信デバイス内に、または通信デバイスと関連して配置されてもよく、センサは、上で例示した監視量の値を供給することによって、またはソフトウェア２０１１、２０３１が監視量を計算または推定することができる他の物理量の値を供給することによって、測定手順に参加してもよい。ＯＴＴ接続２０５０の再構成は、メッセージフォーマット、再送設定、好ましいルーティングなどを含んでもよく、再構成は基地局２０２０に影響を与える必要はなく、基地局２０２０には知られていないか、または感知できないかもしれない。そのような手順および機能性は、当技術分野で知られており、実施されているかもしれない。特定の実施形態では、測定は、スループット、伝搬時間、レイテンシなどのホストコンピュータ２０１０の測定を促進するプロプライエタリなＵＥシグナリングを含んでもよい。測定は、ソフトウェア２０１１および２０３１が伝搬時間、エラー等を監視している間、ＯＴＴ接続２０５０を使用して、メッセージ、特に空のメッセージまたは「ダミー」メッセージを送信させるように実装されてもよい。
【０２１３】
図２１は、一実施形態に従った、通信システムに実装された方法を示すフローチャートである。通信システムは、ホストコンピュータ、基地局、および図１４および図２１を参照して説明したものであってもよいＵＥを含む。本開示を簡単にするために、図２１への図面参照のみを本項に含める。ステップ２１１０において、ホストコンピュータは、ユーザデータを提供する。ステップ２１１０のサブステップ２１１１（これは任意であってもよい）では、ホストコンピュータは、ホストアプリケーションを実行することにより、ユーザデータを提供する。ステップ２１２０において、ホストコンピュータは、ユーザデータをＵＥに搬送する送信を開始する。ステップ２１３０（これは任意であってもよい）では、基地局は、本開示全体に記載された実施形態の教示に従って、ホストコンピュータが開始した送信で運ばれたユーザデータをＵＥに送信する。ステップ２１４０（これは任意であってもよい）では、ＵＥは、ホストコンピュータによって実行されたホストアプリケーションに関連付けられたクライアントアプリケーションを実行する。
【０２１４】
図２２は、一実施形態に従った、通信システムに実装された方法を示すフローチャートである。通信システムは、ホストコンピュータ、基地局、および図１９および図２０を参照して説明したものであってもよいＵＥを含む。本開示を簡単にするために、図２２を参照した図面のみを本項に含める。方法のステップ２２１０において、ホストコンピュータは、ユーザデータを提供する。任意のサブステップ（図示せず）では、ホストコンピュータは、ホストアプリケーションを実行することにより、ユーザデータを提供する。ステップ２２２０では、ホストコンピュータは、ユーザデータをＵＥに搬送する送信を開始する。送信は、本開示全体に記載された実施形態の教示に従って、基地局を経由してもよい。ステップ２２３０（これは任意であってもよい）では、ＵＥは、送信で搬送されたユーザデータを受信する。
【０２１５】
図２３は、一実施形態に従った、通信システムに実装された方法を示すフローチャートである。通信システムは、ホストコンピュータ、基地局、および図１９および図２０を参照して説明したものであり得るＵＥを含む。本開示を簡単にするために、図２３を参照する図面のみを本項に含める。ステップ２３１０（これは任意であってもよい）において、ＵＥは、ホストコンピュータによって提供される入力データを受信する。さらに、または代替的に、ステップ２３２０において、ＵＥは、ユーザデータを提供する。ステップ２３２０のサブステップ２３２１（これはオプションであってもよい）において、ＵＥは、クライアントアプリケーションを実行することにより、ユーザデータを提供する。ステップ２３１０のサブステップ２３１１（これは任意であってもよい）では、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、サブステップ２３３０（これは任意であってもよい）において、ホストコンピュータへのユーザデータの送信を開始する。方法のステップ２３４０において、ホストコンピュータは、本開示を通して説明される実施形態の教示に従って、ＵＥから送信されたユーザデータを受信する。
【０２１６】
図２４は、一実施形態に従った、通信システムに実装された方法を示すフローチャートである。通信システムは、ホストコンピュータ、基地局、および図１９および図２０を参照して説明したものであり得るＵＥを含む。本開示を簡単にするために、図２４を参照する図面のみを本項に含める。ステップ２４１０（これは任意であってもよい）では、本開示全体に記載された実施形態の教示に従って、基地局はＵＥからユーザデータを受信する。ステップ２４２０（これは任意であってもよい）では、基地局は、受信したユーザデータのホストコンピュータへの送信を開始する。ステップ２４３０（これは任意であってもよい）では、ホストコンピュータは、基地局によって開始された送信で運ばれたユーザデータを受信する。
【０２１７】
本明細書に開示される任意の適切なステップ、方法、特徴、機能、または利点は、１つまたは複数の仮想装置の１つまたは複数の機能ユニットまたはモジュールを介して実行されてもよい。各仮想装置は、これらの機能ユニットの数を含んでいてもよい。これらの機能ユニットは、１つ以上のマイクロプロセッサまたはマイクロコントローラ、およびデジタル信号プロセッサ（ＤＳＰ）、特定用途向けデジタルロジックなどを含む他のデジタルハードウェアを含んでもよい処理回路を介して実装されてもよい。処理回路は、メモリに記憶されたプログラムコードを実行するように構成されていてもよく、これは、リードオンリーメモリ（ＲＯＭ）、ランダムアクセスメモリ（ＲＡＭ）、キャッシュメモリ、フラッシュメモリ装置、光記憶装置などの１つまたは複数のタイプのメモリを含んでいてもよい。メモリに記憶されたプログラムコードは、本明細書に記載された技術のうちの１つ以上の技術を実行するための命令と同様に、１つ以上の電気通信プロトコルおよび／またはデータ通信プロトコルを実行するためのプログラム命令を含む。いくつかの実施形態では、処理回路は、本開示の１つ以上の実施形態に従って、それぞれの機能ユニットに対応する機能を実行させるために使用されてもよい。
【０２１８】
一般的に、本明細書で使用されるすべての用語は、異なる意味が明確に与えられている場合および／またはそれが使用される文脈から暗示されている場合を除き、関連する技術分野における通常の意味に従って解釈されるべきである。ａ／ａｎ／ｔｈｅの要素、装置、構成要素、手段、ステップなどへのすべての言及は、明示的に別段の記載がない限り、要素、装置、構成要素、手段、ステップなどの少なくとも１つのインスタンスを参照していると公然と解釈されるべきである。本明細書に開示された任意の方法のステップは、ステップが他のステップに続くか先行するように明示的に記述されている場合、および／またはステップが他のステップに続くか先行しなければならないことが暗黙的に記述されている場合を除き、開示された正確な順序で実行されなければならないわけではない。本明細書に開示された実施形態のいずれかの特徴は、適切な場合はどこでも、他の実施形態に適用することができる。同様に、本明細書に開示された実施形態のいずれかの利点は、他の実施形態のいずれかに適用されてもよく、またその逆も同様である。封入された実施形態の他の目的、特徴および利点は、本明細書の記載から明らかになるであろう。
【０２１９】
用語ユニットは、エレクトロニクス、電気デバイスおよび／または電子デバイスの分野で従来の意味を有してもよく、例えば、電気および／または電子回路、デバイス、モジュール、プロセッサ、メモリ、論理ソリッドステートおよび／またはディスクリートデバイス、それぞれのタスク、手順、計算、出力、および／または表示機能を実行するためのコンピュータプログラムまたは命令など、本明細書に記載されているようなものを含んでもよい。
【０２２０】
本明細書で企図される実施形態のいくつかは、添付の図面を参照してより詳細に説明される。しかしながら、他の実施形態は、本明細書に開示された主題の範囲内に含まれる。開示された主題は、本明細書に記載された実施形態のみに限定されると解釈されるべきではなく、むしろ、これらの実施形態は、当業者に主題の範囲を伝えるために例示的に提供される。
【図１】
2021503738.tif 000004
【図２Ａ】
2021503738.tif 000005
【図２Ｂ】
2021503738.tif 000006
【図２Ｃ】
2021503738.tif 000007
【図２Ｄ】
2021503738.tif 000008
【図３】
2021503738.tif 000009
【図４Ａ】
2021503738.tif 000010
【図４Ｂ】
2021503738.tif 000011
【図５】
2021503738.tif 000012
【図６】
2021503738.tif 000013
【図７】
2021503738.tif 000014
【図８】
2021503738.tif 000015
【図９】
2021503738.tif 000016
【図１０】
2021503738.tif 000017
【図１１】
2021503738.tif 000018
【図１２】
2021503738.tif 000019
【図１３】
2021503738.tif 000020
【図１４】
2021503738.tif 000021
【図１５】
2021503738.tif 000022
【図１６】
2021503738.tif 000023
【図１７】
2021503738.tif 000024
【図１８】
2021503738.tif 000025
【図１９】
2021503738.tif 000026
【図２０】
2021503738.tif 000027
【図２１】
2021503738.tif 000028
【図２２】
2021503738.tif 000029
【図２３】
2021503738.tif 000030
【図２４】
2021503738.tif 000031
【図２５】
2021503738.tif 000032
【図２６】
2021503738.tif 000033
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
無線リンク監視評価期間を構成するための無線デバイス（８１１）によって実行される方法（２５００）であって、
ネットワークノード（８０１）によって送信される参照信号リソースのセット（８２３）内の複数の参照信号リソースの少なくとも一部分に共通する評価期間（８２１）を決定すること（２５１０）であって、前記セット（８２３）内の複数の参照信号リソースの少なくとも１つは該セット（８２３）内の複数の参照信号リソースの他の１つとは異なるタイプまたは構成である、前記決定すること（２５１０）と、
前記決定された評価期間（８２１）の間に受信された前記セット（８２３）内の複数の参照信号リソースの前記一部分のチャネル品質を監視すること（２５２０）と、
を含む方法。
【請求項２】
前記チャネル品質を監視するための複数の参照信号リソースとして前記ネットワークノード（８０１）によって構成された複数のリソースのうちのどのリソースが、前記ネットワークノード（８０１）によって送信される複数の参照信号リソースの前記セット（８２３）に含まれているかを決定することをさらに含む
請求項１に記載の方法。
【請求項３】
前記チャネル品質を監視するための複数の参照信号リソースとして前記ネットワークノード（８０１）によって構成された複数のリソースのうちのどのリソースが、前記ネットワークノード（８０１）によって送信される複数の参照信号リソースの前記セット（８２３）に含まれているかを前記決定することは、前記チャネル品質を監視するための複数の参照信号リソースとして構成された複数のリソースのうちのどのリソースが送信されたかを示す前記ネットワークノード（８０１）からのインジケーションに基づく
請求項２に記載の方法。
【請求項４】
前記評価期間（８２１）に対応する前記セット（８２３）内の複数の参照信号リソースの前記一部分を決定することをさらに含み、前記セット（８２３）内の複数の参照信号リソースの前記一部分は少なくとも２つの参照信号リソースを含む
請求項１乃至３の何れか１項に記載の方法。
【請求項５】
前記決定された共通の評価期間（８２１）の間に受信された前記セット（８２３）内の複数の参照信号リソースの前記少なくとも一部分の複数の参照信号リソースの各々は同じタイプまたは構成のものである
請求項１乃至４の何れか１項に記載の方法。
【請求項６】
前記評価期間（８２１）の間に受信された前記セット（８２３）内の複数の参照信号リソースの前記一部分のチャネル品質に基づいて、前記無線デバイス（８１１）が前記ネットワークノード（８０１）と同期中かまたは同期外かを決定することをさらに含む
請求項１乃至５の何れか１項に記載の方法。
【請求項７】
前記無線デバイス（８１１）が同期中かまたは同期外かを前記決定することは、前記評価期間（８２１）の間に実行された前記監視することに応答し、および／または、一定の間隔で実行され、該一定の間隔の長さは前記評価期間（８２１）の長さ以下である
請求項６に記載の方法。
【請求項８】
複数の参照信号リソースの前記セットは、前記無線デバイス（８１１）が前記ネットワークノード（８０１）によって構成されている複数の無線リンク監視参照信号リソースのサブセットまたは全てであり、
前記無線デバイス（８１１）が構成されている前記複数の無線リンク監視参照信号リソースは、ＳＳ／ＰＢＣＨブロックに関連付けられたリソースのセットの少なくともいくつかを含むが、実際に送信されたＳＳ／ＰＢＣＨブロックのセットに含まれないＳＳ／ＰＢＣＨブロックに関連付けられたリソースを含まない
請求項１に記載の方法。
【請求項９】
前記評価期間（８２１）の長さは、該評価期間（８２１）に対応する前記セット（８２３）内の複数の参照信号リソースの前記一部分の長さに相当する
請求項１乃至８の何れか１項に記載の方法。
【請求項１０】
前記評価期間（８２１）の開始は、前記ネットワークノード（８０１）によって送信される前記セット（８２３）の開始に相当する
請求項１乃至９の何れか１項に記載の方法。
【請求項１１】
前記評価期間（８２１）の開始は、前記ネットワークノード（８０１）によって送信される前記セット（８２３）の開始の後であるが、該セット（８２３）の終了の前である
請求項１乃至１０の何れか１項に記載の方法。
【請求項１２】
前記評価期間（８２１）は、前記無線デバイス（８１１）が前記ネットワークノード（８０１）と同期中であることまたは前記ネットワークノード（８０１）と同期外であることを決定するための期間に対応する
請求項１乃至１１の何れか１項に記載の方法。
【請求項１３】
前記評価期間（８２１）の長さは予め決定されている
請求項１乃至１２の何れか１項に記載の方法。
【請求項１４】
前記評価期間（８２１）の長さは関数に基づいており、該関数は、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
のパラメータの少なくとも１つに基づいている
請求項１乃至１３の何れか１項に記載の方法。
【請求項１５】
前記無線デバイス（８１１）によって、前記評価期間（８２１）を前記ネットワークノード（８０１）から受信することをさらに含み、前記評価期間（８２１）を前記決定することは、前記受信することに応答する
請求項１乃至１４の何れか１項に記載の方法。
【請求項１６】
前記無線デバイス（８１１）によって、前記評価期間（８２１）を使用するか否かのインジケーションを前記ネットワークノード（８０１）から受信することをさらに含み、前記評価期間（８２１）を前記決定することは、前記インジケーションが前記評価期間（８２１）を使用することを示すことを決定することに応答する
請求項１乃至１５の何れか１項に記載の方法。
【請求項１７】
前記無線デバイス（８１１）によって、前記評価期間（８２１）を決定するために使用されるパラメータの値を前記ネットワークノード（８０１）から受信することをさらに含み、前記評価期間（８２１）を前記決定することは、前記パラメータに基づいており、該パラメータは、
周期性、
帯域幅、
密度、
前記セット（８２３）が構成される周波数範囲、
複数の参照信号を含む前記セット（８２３）のサンプル数、
可能な最短の評価期間（８２１）、
不連続受信（ＤＲＸ）構成、
ギャップ構成、
ＳＭＴＣ期間、
の少なくとも１つである
請求項１６に記載の方法。
【請求項１８】
前記評価期間（８２１）を決定するために使用される関数のパラメータの値を取得することをさらに含む
請求項１乃至１７の何れか１項に記載の方法。
【請求項１９】
無線デバイス（８１１）に対する無線リンク監視評価期間を構成するためのネットワークノード（８０１）によって実行される方法（２６００）であって、
前記ネットワークノード（８０１）によって送信される参照信号リソースのセット（８２３）内の複数の参照信号リソースの少なくとも一部分に共通する評価期間（８２１）を決定すること（２６１０）であって、前記セット（８２３）内の複数の参照信号リソースの少なくとも１つは該セット（８２３）内の複数の参照信号リソースの他の１つとは異なるタイプまたは構成である、前記決定すること（２６１０）と、
前記決定された評価期間（８２１）の間に送信された前記セット（８２３）内の複数の参照信号リソースの前記一部分のチャネル品質を前記無線デバイス（８１１）が監視するよう動作可能となるように、前記決定された評価期間（８２１）を構成すること（２６２０）と、
を含む方法。
【請求項２０】
無線デバイス（８１１）であって、
ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に受信された前記セット（８２３）内の複数の参照信号リソースの前記一部分のチャネル品質を監視する、
ように構成された無線デバイス。
【請求項２１】
ネットワークノード（８０１）であって、
前記ネットワークノード（８０１）によって送信される参照信号リソースのセット（８２３）内の複数の参照信号リソースの少なくとも一部分に共通する評価期間（８２１）を決定し、前記セット（８２３）内の複数の参照信号リソースの少なくとも１つは該セット（８２３）内の複数の参照信号リソースの他の１つとは異なるタイプまたは構成であり、
前記決定された評価期間（８２１）の間に送信された前記セット（８２３）内の複数の参照信号リソースの前記一部分のチャネル品質を無線デバイス（８１１）が監視するよう動作可能となるように、前記決定された評価期間（８２１）を構成する、
ように構成されたネットワークノード。
【請求項２２】
複数の命令を含むコンピュータプログラムであって、
無線ノード（８０１、８１０）の少なくとも１つのプロセッサにより実行されたとき、前記無線ノード（８０１、８１１）に請求項１乃至１９の何れか１項に記載の方法（２５００、２６００）を実行させる
コンピュータプログラム。
【国際調査報告】
2021503738.tif 000034
2021503738.tif 000035
2021503738.tif 000036
2021503738.tif 000037